(57)【特許請求の範囲】
【請求項１】
検出領域に並設された複数の駆動電極及び複数の第１タッチ検出電極を有し、検出領域に対するタッチ操作が前記複数の駆動電極に駆動信号が出力されているタイミングで行われた場合に生じる前記第１タッチ検出電極の電気的変化を示す第１タッチ検出信号に基づいて前記検出領域に対するタッチ操作を検出するタッチ検出装置であって、前記複数の駆動電極のうち少なくとも１つは前記複数の駆動電極の並設ピッチよりも細かいピッチで区切られた複数の細分電極に分割され、
前記細分電極と交差する方向に沿って設けられる少なくとも１つの第２タッチ検出電極と、
前記複数の駆動電極を順次駆動するための信号を生成する複数のシフト信号出力回路が順次接続された第１シフトレジスタ回路と、
前記複数の細分電極を順次駆動するための信号を生成する複数のシフト信号出力回路が順次接続された第２シフトレジスタ回路と、
前記複数の駆動電極を順次駆動する第１モード時は前記第１シフトレジスタ回路の信号を前記複数の駆動電極に供給し、前記複数の細分電極を順次駆動する第２モード時は前記第２シフトレジスタ回路の信号を前記複数の細分電極に供給する選択回路とを備える
タッチ検出装置。
【請求項２】
前記第１タッチ検出電極及び前記第２タッチ検出電極は、前記駆動電極及び前記細分電極と非接触の位置に設けられ、
前記第１タッチ検出信号は、駆動信号が伝送されている前記駆動電極と前記第１タッチ検出電極との間に生じた静電容量に基づいた信号であり、
前記第２タッチ検出電極を用いたタッチ検出によって得られる第２タッチ検出信号は、駆動信号が伝送されている前記細分電極と前記第２タッチ検出電極との間に生じた静電容量に基づいた信号である
請求項１に記載のタッチ検出装置。
【請求項３】
複数の前記駆動電極は、それぞれ前記複数の細分電極を有する
請求項１又は２に記載のタッチ検出装置。
【請求項４】
前記第１モードでの駆動信号の伝送タイミングに出力された前記第１タッチ検出信号に基づいて特定された指の位置に対応する位置に配置されている駆動電極が有する前記複数の前記細分電極に前記第２モードで駆動信号が伝送される
請求項３に記載のタッチ検出装置。
【請求項５】
前記複数の前記細分電極を有する複数の前記駆動電極のうちいずれか１つの駆動電極が有する細分電極に対して選択的に駆動信号を伝送する回路を形成する選択切替回路を備える
請求項４に記載のタッチ検出装置。
【請求項６】
同一タイミングで駆動信号が伝送される細分電極の数及び組み合わせを切り替える組み合わせ回路を備える
請求項１から５のいずれか一項に記載のタッチ検出装置。
【請求項７】
前記第２モードでは、駆動信号が伝送される細分電極が前記駆動電極の並設方向の一端側から他端側に向かって１つずつシフトする
請求項１から５のいずれか一項に記載のタッチ検出装置。
【請求項８】
前記選択回路が有するスイッチを動作させる信号を出力する信号出力回路と、
前記複数の細分電極を有しない駆動電極又は前記細分電極のいずれか一方を切替可能に前記信号出力回路に接続する兼用回路とを備える
請求項１又は２に記載のタッチ検出装置。
【請求項９】
前記駆動電極に印加される前記駆動信号として機能する電位を示す駆動電位部を備える
請求項１から８のいずれか一項に記載のタッチ検出装置。
【請求項１０】
画像を表示する表示部と、前記表示部により画像が表示される表示面に沿って並設された複数の駆動電極及び複数の第１タッチ検出電極とを有し、表示面に対するタッチ操作が前記複数の駆動電極に駆動信号が出力されているタイミングで行われた場合に生じる前記第１タッチ検出電極の電気的変化を示す第１タッチ検出信号に基づいて前記表示面に対するタッチ操作を検出するタッチ検出機能付き表示装置であって、前記複数の駆動電極のうち少なくとも１つは前記複数の駆動電極の並設ピッチよりも細かいピッチで区切られた複数の細分電極に分割され、
前記細分電極と交差する方向に沿って設けられる少なくとも１つの第２タッチ検出電極と、
前記複数の駆動電極を順次駆動するための信号を生成する複数のシフト信号出力回路が順次接続された第１シフトレジスタ回路と、
前記複数の細分電極を順次駆動するための信号を生成する複数のシフト信号出力回路が順次接続された第２シフトレジスタ回路と、
前記複数の駆動電極を順次駆動する第１モード時は前記第１シフトレジスタ回路の信号を前記複数の駆動電極に供給し、前記複数の細分電極を順次駆動する第２モード時は前記第２シフトレジスタ回路の信号を前記複数の細分電極に供給する選択回路とを備える
タッチ検出機能付き表示装置。
【発明の詳細な説明】
【技術分野】
【０００１】
本発明は、タッチ検出装置及びタッチ検出機能付き表示装置に関する。
【背景技術】
【０００２】
近年、いわゆるタッチパネルと呼ばれる、外部近接物体を検出可能なタッチ検出装置が注目されている。タッチパネルは、例えば、液晶表示装置等の表示装置上に装着又は一体化されて、タッチ検出機能付き表示装置として用いられている。タッチ検出機能付き表示装置は、表示装置に各種のボタン画像等を表示させることにより、タッチパネルを通常の機械式ボタンの代わりとして情報入力を可能としている（例えば、特許文献１）。
【０００３】
また、上記の表示装置を備える電子機器に指紋センサが設けられることがある。指紋センサは、接触したヒトの指が有する指紋の凸凹を検出することで指紋の形状を検出する（例えば、特許文献２）。指紋センサの検出結果は、例えば、個人認証等に用いられる。
【先行技術文献】
【特許文献】
【０００４】
【特許文献１】特開２００４−３１７３５３号公報
【特許文献２】特開２００３−９０７０３号公報
【発明の概要】
【発明が解決しようとする課題】
【０００５】
従来の電子機器は、個別に設けられたタッチパネルと指紋センサとを有する。このため、指紋センサの構成として、ヒトの指を接触させるための領域をタッチパネルによるタッチ操作の検出領域から独立した別個の領域として設けなければならなかった。
【０００６】
本発明は、指紋の検出等に用いられるより高い分解能を有する検出領域をタッチ操作の検出領域と共有することができるタッチ検出装置及びタッチ検出機能付き表示装置を提供することを目的とする。
【課題を解決するための手段】
【０００７】
本発明の一態様は、検出領域に並設された複数の駆動電極及び複数の第１タッチ検出電極を有し、検出領域に対するタッチ操作が前記複数の駆動電極に駆動信号が出力されているタイミングで行われた場合に生じる前記第１タッチ検出電極の電気的変化を示す第１タッチ検出信号に基づいて前記検出領域に対するタッチ操作を検出するタッチ検出装置であって、前記複数の駆動電極のうち少なくとも１つは前記複数の駆動電極の並設ピッチよりも細かいピッチで区切られた複数の細分電極に分割され、前記細分電極と交差する方向に沿って設けられる少なくとも１つの第２タッチ検出電極と、前記複数の駆動電極を順次駆動するための信号を生成する複数のシフト信号出力回路が順次接続された第１シフトレジスタ回路と、前記複数の細分電極を順次駆動するための信号を生成する複数のシフト信号出力回路が順次接続された第２シフトレジスタ回路と、前記複数の駆動電極を順次駆動する第１モード時は第１シフトレジスタの信号を前記複数の駆動電極に供給し、前記複数の細分電極を順次駆動する第２モード時は第２シフトレジスタの信号を前記複数の細分電極に供給する選択回路とを備える。
【０００８】
本発明の一態様は、画像を表示する表示部と、前記表示部により画像が表示される表示面に沿って並設された複数の駆動電極及び複数の第１タッチ検出電極とを有し、表示面に対するタッチ操作が前記複数の駆動電極に駆動信号が出力されているタイミングで行われた場合に生じる前記第１タッチ検出電極の電気的変化を示す第１タッチ検出信号に基づいて前記表示面に対するタッチ操作を検出するタッチ検出機能付き表示装置であって、前記複数の駆動電極のうち少なくとも１つは前記複数の駆動電極の並設ピッチよりも細かいピッチで区切られた複数の細分電極に分割され、前記細分電極と交差する方向に沿って設けられる少なくとも１つの第２タッチ検出電極と、前記複数の駆動電極を順次駆動するための信号を生成する複数のシフト信号出力回路が順次接続された第１シフトレジスタ回路と、前記複数の細分電極を順次駆動するための信号を生成する複数のシフト信号出力回路が順次接続された第２シフトレジスタ回路と、前記複数の駆動電極を順次駆動する第１モード時は前記第１シフトレジスタの信号を前記複数の駆動電極に供給し、前記複数の細分電極を順次駆動する第２モード時は前記第２シフトレジスタの信号を前記複数の細分電極に供給する選択回路とを備える。
【図面の簡単な説明】
【０００９】
【図１】図１は、実施形態に係るタッチ検出機能付き表示装置の一構成例を示すブロック図である。
【図２】図２は、第１タッチ検出部の主要機能構成を示すブロック図である。
【図３】図３は、相互静電容量方式のタッチ検出の基本原理を説明するための、指が接触又は近接していない状態を表す説明図である。
【図４】図４は、図３に示す指が接触又は近接していない状態の等価回路の例を示す説明図である。
【図５】図５は、相互静電容量方式のタッチ検出の基本原理を説明するための、指が接触又は近接した状態を表す説明図である。
【図６】図６は、図５に示す指が接触又は近接した状態の等価回路の例を示す説明図である。
【図７】図７は、相互静電容量方式のタッチ検出の駆動信号及びタッチ検出信号の波形の一例を表す図である。
【図８】図８は、第２タッチ検出部の主要機能構成を示すブロック図である。
【図９】図９は、第２タッチ検出部による指紋検出の仕組みを示す模式図である。
【図１０】図１０は、タッチ検出機能付き表示装置のうち、特にタッチ検出に係る構成を模式的に示す平面図である。
【図１１】図１１は、実施形態に係るタッチ検出機能付き表示装置の概略断面構造を表すＢ−Ｂ断面図である。
【図１２】図１２は、実施形態に係るタッチ検出機能付き表示部の画素配列を表す回路図である。
【図１３】図１３は、実施形態に係るタッチ検出機能付き表示部の駆動電極及びタッチ検出電極の一構成例を表す斜視図である。
【図１４】図１４は、駆動電極と細分電極との関係及びタッチ検出に係る構成を示す模式図である。
【図１５】図１５は、駆動電極と伝送切替回路とシフト駆動回路との接続関係の一例を示す模式図である。
【図１６】図１６は、個別切替回路が有する１組の第１スイッチ及び第２スイッチの構成の一例を示す図である。
【図１７】図１７は、接続関係にある２つのシフト信号出力回路の概略構成図である。
【図１８】図１８は、接続関係にある２つのシフト信号出力回路の具体的な回路構成の一例を示す図である。
【図１９】図１９は、図１８に示すシフト信号出力回路の動作に係る各種の信号の時系列的な関係を示すタイミングチャートである。
【図２０】図２０は、第１モードと第２モードとの切替による第１タッチ検出と第２タッチ検出の切替の流れの一例を示すフローチャートである。
【図２１】図２１は、第１モードと第２モードとの切替による第１タッチ検出と第２タッチ検出の切替の流れの別の一例を示すフローチャートである。
【図２２】図２２は、本発明の変形例に係るタッチ検出機能付き表示装置のうち、特にタッチ検出に係る構成を模式的に示す平面図である。
【図２３】図２３は、変形例における駆動電極と伝送切替回路とシフト駆動回路との接続関係の一例を示す模式図である。
【図２４】図２４は、実施形態２における駆動電極と伝送切替回路とシフト駆動回路との接続関係の一例を示す模式図である。
【図２５】図２５は、実施形態３における駆動電極と伝送切替回路とシフト駆動回路との接続関係の一例を示す模式図である。
【図２６】図２６は、第１セレクタの具体的構成例を示す図である。
【図２７】図２７は、実施形態３におけるタッチ検出に際して出力される各種の信号の関係の一例を示すタイミングチャートである。
【図２８】図２８は、第１タッチ検出の結果に基づいて第２タッチ検出で用いる細分電極を決定する構成を有するタッチ検出機能付き表示装置の一構成例を示すブロック図である。
【図２９】図２９は、符号分割選択方式における駆動の一例を説明する説明図である。
【図３０】図３０は、実施形態４におけるタッチ検出に係る構成を示す模式図である。
【図３１】図３１は、ＣＤＭ制御部が介在している場合のシフト信号出力回路と個別切替回路との接続経路の一例を示す図である。
【図３２】図３２は、ラッチ回路の具体的構成の一例を示す図である。
【図３３】図３３は、ＣＤＭ方式における各種の信号の関係の一例を示すタイミングチャートである。
【図３４】図３４は、実施形態５におけるタッチ検出に係る構成を示す模式図である。
【図３５】図３５は、兼用回路の具体的構成の一例を示す図である。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（実施形態１）
図１は、実施形態に係るタッチ検出機能付き表示装置１の一構成例を示すブロック図である。図１に示すように、タッチ検出機能付き表示装置１は、タッチ検出機能付き表示部１０と、制御部１１と、ゲートドライバ１２と、ソースドライバ１３と、駆動電極ドライバ１４と、第１タッチ検出部４０と、第２タッチ検出部６０とを備えている。タッチ検出機能付き表示装置１は、タッチ検出機能付き表示部１０がタッチ検出機能を内蔵した表示装置である。タッチ検出機能付き表示部１０は、表示素子として液晶表示素子を用いている表示パネル２０と、タッチ入力を検出するタッチ検出装置であるタッチパネル３０とを一体化した装置である。なお、タッチ検出機能付き表示部１０は、表示パネル２０の上にタッチパネル３０を装着した、いわゆるオンセルタイプの装置であってもよい。オンセルタイプの場合、タッチパネル３０はタッチ検出装置として機能する。表示パネル２０は、表示素子として液晶表示素子を用いている構成に限られない。例えば、表示パネル２０は、有機ＥＬ表示パネルであってもよい。
【００１２】
表示パネル２０は、後述するように、ゲートドライバ１２から供給される走査信号Ｖｓｃａｎに従って、１水平ラインずつ順次走査して表示を行う素子である。制御部１１は、外部より供給された映像信号Ｖｄｉｓｐに基づいて、ゲートドライバ１２、ソースドライバ１３、駆動電極ドライバ１４及び第１タッチ検出部４０に対してそれぞれ制御信号を供給し、これらが互いに同期して動作するように制御する回路である。
【００１３】
ゲートドライバ１２は、制御部１１から供給される制御信号に基づいて、タッチ検出機能付き表示部１０の表示駆動の対象となる１水平ラインを順次選択する機能を有している。
【００１４】
ソースドライバ１３は、制御部１１から供給される制御信号に基づいて、タッチ検出機能付き表示部１０の、後述する各副画素ＳＰｉｘに画素信号Ｖｐｉｘを供給する回路である。
【００１５】
駆動電極ドライバ１４は、制御部１１から供給される制御信号に基づいて、タッチ検出機能付き表示部１０の、後述する駆動電極ＣＯＭＬに駆動信号Ｖｃｏｍを供給する回路である。
【００１６】
タッチパネル３０は、静電容量型タッチ検出の基本原理に基づいて動作し、相互静電容量方式によりタッチ検出動作を行い、表示領域１０１ａ（図１０等参照）を含む検出領域に対する外部の導体の接触又は近接を検出する。タッチパネル３０は、自己静電容量方式によりタッチ検出動作を行ってもよい。
【００１７】
図２は、第１タッチ検出部４０の主要機能構成を示すブロック図である。第１タッチ検出部４０は、制御部１１から供給されるクロック信号等の制御信号と、タッチパネル３０から供給される第１タッチ検出信号Ｖｄｅｔ１に基づいて、タッチパネル３０に対するタッチの有無を検出する回路である。また、第１タッチ検出部４０は、タッチがある場合においてタッチ入力が行われた座標などを求める。この第１タッチ検出部４０は、タッチ検出信号増幅部４２と、Ａ／Ｄ変換部４３と、信号処理部４４と、座標抽出部４５とを備える。検出タイミング制御部４６は、制御部１１から供給される制御信号に基づいて、Ａ／Ｄ変換部４３と、信号処理部４４と、座標抽出部４５とが同期して動作するように制御する。
【００１８】
上述のとおり、タッチパネル３０は、静電容量型タッチ検出の基本原理に基づいて動作する。ここで、図３から図７を参照して、本実施形態のタッチパネル３０の相互静電容量方式によるタッチ検出の基本原理について説明する。図３は、相互静電容量方式のタッチ検出の基本原理を説明するための、指が接触又は近接していない状態を表す説明図である。図４は、図３に示す指が接触又は近接していない状態の等価回路の例を示す説明図である。図５は、相互静電容量方式のタッチ検出の基本原理を説明するための、指が接触又は近接した状態を表す説明図である。図６は、図５に示す指が接触又は近接した状態の等価回路の例を示す説明図である。図７は、駆動信号Ｖｃｏｍ及び第１タッチ検出信号Ｖｄｅｔ１の波形の一例を表す図である。なお、以下の説明では、指が接触又は近接する場合を説明するが、指に限られず、例えばスタイラスペン等の導体を含む物体であってもよい。なお、駆動信号Ｖｃｏｍは、駆動電極ＣＯＭＬに出力される信号を示す記載であって、特定の電圧による信号をさす記載でない。
【００１９】
例えば、図３に示すように、容量素子Ｃ１は、誘電体Ｄを挟んで互いに対向配置された一対の電極、駆動電極Ｅ１及びタッチ検出電極Ｅ２を備えている。図４に示すように、容量素子Ｃ１は、その一端が交流信号源（駆動信号源）Ｓに接続され、他端は電圧検出器ＤＥＴに接続される。電圧検出器ＤＥＴは、例えば図２に示すタッチ検出信号増幅部４２に含まれる積分回路である。
【００２０】
交流信号源Ｓから駆動電極Ｅ１（容量素子Ｃ１の一端）に所定の周波数（例えば数ｋＨｚ〜数百ｋＨｚ程度）の交流矩形波Ｓｇが印加されると、タッチ検出電極Ｅ２（容量素子Ｃ１の他端）側に接続された電圧検出器ＤＥＴを介して、図７に示すような出力波形（第１タッチ検出信号Ｖｄｅｔ１）が現れる。なお、この交流矩形波Ｓｇは、例えば、駆動電極ドライバ１４から入力される駆動信号Ｖｃｏｍに相当する。
【００２１】
指が接触又は近接していない状態（非接触状態）では、図３及び図４に示すように、容量素子Ｃ１に対する充放電に伴って、容量素子Ｃ１の容量値に応じた電流Ｉ０が流れる。図４に示す電圧検出器ＤＥＴは、交流矩形波Ｓｇに応じた電流Ｉ０の変動を電圧の変動（実線の波形Ｖ０（図７参照））に変換する。
【００２２】
一方、指が接触又は近接した状態（接触状態）では、図５に示すように、指によって形成される静電容量Ｃ２が、タッチ検出電極Ｅ２と接触している又は近傍にあることにより、駆動電極Ｅ１及びタッチ検出電極Ｅ２の間にあるフリンジ分の静電容量が遮られる。このため、容量素子Ｃ１は、図６に示すように、非接触状態での容量値よりも容量値の小さい容量素子Ｃ１’として作用する。そして、図６に示す等価回路でみると、容量素子Ｃ１’に電流Ｉ１が流れる。図７に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から接触又は近接する導体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２３】
図１に示すタッチパネル３０は、駆動電極ドライバ１４から供給される駆動信号Ｖｃｏｍに従って、１検出ブロックずつ順次走査して、相互静電容量方式によるタッチ検出を行う。
【００２４】
タッチパネル３０は、後述する複数の第１タッチ検出電極ＴＤＬから、図４又は図６に示す電圧検出器ＤＥＴを介して、検出ブロック毎に第１タッチ検出信号Ｖｄｅｔ１を出力する。第１タッチ検出信号Ｖｄｅｔ１は、第１タッチ検出部４０のタッチ検出信号増幅部４２に供給される。
【００２５】
タッチ検出信号増幅部４２は、タッチパネル３０から供給される第１タッチ検出信号Ｖｄｅｔ１を増幅する。なお、タッチ検出信号増幅部４２は、第１タッチ検出信号Ｖｄｅｔ１に含まれる高い周波数成分（ノイズ成分）を除去して出力する低域通過アナログフィルタであるアナログＬＰＦ（Ｌｏｗ  Ｐａｓｓ  Ｆｉｌｔｅｒ）を備えていてもよい。
【００２６】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する。
【００２７】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチパネル３０に対するタッチの有無を検出する論理回路である。信号処理部４４は、指による検出信号の差分のみ取り出す処理を行う。この指による差分の信号は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の信号を所定のしきい値電圧と比較し、このしきい値電圧未満であれば、外部近接物体が非接触状態であると判断する。一方、信号処理部４４は、検出した指による差分の信号を所定のしきい値電圧と比較し、しきい値電圧以上であれば、外部近接物体の接触状態と判断する。このようにして、第１タッチ検出部４０はタッチ検出が可能となる。このように、第１タッチ検出部４０は、第１タッチ検出電極ＴＤＬにおける静電容量の変化に基づいてタッチ操作を検出する。以下の説明において、駆動電極ＣＯＭＬと第１タッチ検出電極ＴＤＬとを用いたタッチ検出を第１タッチ検出と記載することがある。
【００２８】
座標抽出部４５は、信号処理部４４においてタッチが検出されたときに、そのタッチパネル座標を求める論理回路である。座標抽出部４５は、タッチパネル座標を検出信号出力Ｖｏｕｔ１として出力する。以上のように、本実施形態のタッチパネル３０は、相互静電容量方式によるタッチ検出の基本原理に基づいて、指などの導体が接触又は近接する位置のタッチパネル座標を検出することができる。
【００２９】
図８は、第２タッチ検出部６０の主要機能構成を示すブロック図である。第２タッチ検出部６０は、制御部１１から供給されるクロック信号等の制御信号と、タッチパネル３０から供給される第２タッチ検出信号Ｖｄｅｔ２に基づいて、第１タッチ検出部４０よりもより細かいピッチでタッチの有無を検出する回路である。第２タッチ検出部６０は、例えば、タッチ検出信号増幅部６２と、Ａ／Ｄ変換部６３と、信号処理部６４と、座標抽出部６５と、検出タイミング制御部６６と、合成部６７とを備える。タッチ検出信号増幅部６２、Ａ／Ｄ変換部６３、信号処理部６４、座標抽出部６５、検出タイミング制御部６６の機能は、タッチ検出信号増幅部４２、Ａ／Ｄ変換部４３、信号処理部４４、座標抽出部４５、検出タイミング制御部４６の機能と同様である。第２タッチ検出部６０と第２タッチ検出電極ＳＴＤＬ（図１４等参照）とは、第１タッチ検出部４０と第１タッチ検出電極ＴＤＬとの接続関係と同様の関係で接続されている。第２タッチ検出電極ＳＴＤＬからの第２タッチ検出信号Ｖｄｅｔ２は、第２タッチ検出部６０のタッチ検出信号増幅部６２に供給される。
【００３０】
図９は、第２タッチ検出部６０による指紋検出の仕組みを示す模式図である。合成部６７は、例えば、第２タッチ検出電極ＳＴＤＬを用いた複数回のタッチ検出によって得られた複数回分の第２タッチ検出信号Ｖｄｅｔ２を組み合わせて、第２タッチ検出電極ＳＴＤＬに対するタッチ操作を行っている外部近接物体の形状を示す二次元情報を生成する。具体的には、合成部６７は、例えば外部近接物体（例えば、ヒトの指等）が有する凸凹によって生じるカバー部材５（図１１参照）への接触の度合いの差に応じて現れる検出強度の差異を色の濃淡（例えば、グレースケール）として表す２次元の画像を生成する。合成部６７を有する第２タッチ検出部６０の出力Ｖｏｕｔ２は、例えば、上記で説明した２次元情報の出力である。
【００３１】
本実施形態では、１つの第２タッチ検出電極ＳＴＤＬの延設方向に交差する方向にヒトの指が相対的に移動するスイープ動作が行われることを前提としている。スイープ動作が行われると、図９に示すように、後述する複数の駆動電極ＳＣＯＭＬと、１つの第２タッチ検出電極ＳＴＤＬとの交差点の各々が個別の検出ブロックとして機能して指の指紋による凹凸に応じた検出結果を出力する。スイープ動作による指の移動により各時刻（図９に示す符号Ｔ１，Ｔ２，Ｔ３，…）で第２タッチ検出電極ＳＴＤＬと近接する指の位置が変わることから、１つの第２タッチ検出電極ＳＴＤＬにより指を二次元的に走査することができる。合成部６７は、係る一次元の検出結果を時系列（図９における符号Ｔ１，Ｔ２，Ｔ３，…）に並べて組み合わせることで、二次元の画像を得る。
【００３２】
図９では、分かりやすさを目的としてタッチの有無のみを示す２階調検出を例示しているが、実際には各ブロックにおけるタッチ検出結果は多階調とすることができる。また、図９では、検出されている外部近接物体が二重丸状の突起を有する物体であるが、外部近接物体が指紋を有するヒトの指である場合、２次元情報として指紋が現れることになる。また、合成部６７の機能は、第２タッチ検出部６０以外の構成が有していてもよい。例えば、第２タッチ検出部６０の出力Ｖｏｕｔ２を座標抽出部６５の出力とし、係る出力Ｖｏｕｔ２に基づいて外部の構成が２次元情報を生成するようにしてもよい。また、２次元情報の生成に係る構成は、回路等のハードウェアであってもよいし、所謂ソフトウェア処理によってもよい。
【００３３】
次に、タッチ検出機能付き表示装置１の構成例を詳細に説明する。図１０は、タッチ検出機能付き表示装置１のうち、特にタッチ検出に係る構成を模式的に示す平面図である。図１１は、タッチ検出機能付き表示装置１の概略断面構造を表すＢ−Ｂ断面図である。図１２は、実施形態に係るタッチ検出機能付き表示部１０の画素配列を表す回路図である。図１０では、細分電極ＳＣＯＭＬ及び第２タッチ検出電極ＳＴＤＬの図示を省略している。また、以下の説明では、細分電極ＳＣＯＭＬを有しない駆動電極（駆動電極ＣＯＭＬ１）と細分電極ＳＣＯＭＬを有する駆動電極（駆動電極ＣＯＭＬ２）とを総称して駆動電極ＣＯＭＬと記載することがある。
【００３４】
図１１に示すように、タッチ検出機能付き表示装置１は、画素基板２と、対向基板３とを有する。画素基板２と対向基板３とは対向して配置される。タッチ検出機能付き表示装置１は、例えば、図１０に示すように、画像を表示させる表示領域１０１ａと、表示領域１０１ａの外側の額縁領域１０１ｂとを有する。表示領域１０１ａは、例えば、長辺と短辺とを有する矩形状であるが、表示領域１０１ａの形状は適宜変更可能である。額縁領域１０１ｂは、表示領域１０１ａの縁の一部又は全部を囲う枠状となっている。
【００３５】
表示領域１０１ａには、複数の駆動電極ＣＯＭＬ及び複数の第１タッチ検出電極ＴＤＬが設けられている。複数の駆動電極ＣＯＭＬは、表示領域１０１ａの所定の一方向に延在するとともに、当該一方向に直交する方向に並設されている。具体的には、複数の駆動電極ＣＯＭＬは、例えば、矩形状の表示領域１０１ａの一辺に沿う方向に延在するとともに、当該一辺に直交する他辺に沿う方向に並設されている。第１タッチ検出電極ＴＤＬは、例えば、複数の駆動電極ＣＯＭＬが延在する所定の一方向に直交する方向に延在するとともに、当該一方向に並設されている。なお、第１タッチ検出電極ＴＤＬの延設方向をＸ方向とする。また、複数の駆動電極ＣＯＭＬの延設方向をＹ方向とする。また、Ｘ方向及びＹ方向に直交する方向をＺ方向とする。
【００３６】
画素基板２は、回路基板としてのＴＦＴ基板２１と、このＴＦＴ基板２１の上方にマトリックス状に配設された複数の画素電極２２と、ＴＦＴ基板２１と画素電極２２との間に設けられた複数の駆動電極ＣＯＭＬと、画素電極２２と駆動電極ＣＯＭＬとを絶縁する絶縁層２４と、を含む。ＴＦＴ基板２１の下側には、接着層を介して偏光板３５Ｂが設けられていてもよい。
【００３７】
対向基板３は、ガラス基板３１と、このガラス基板３１の一方の面に形成されたカラーフィルタ３２とを含む。ガラス基板３１の他方の面には、タッチパネル３０の検出電極である第１タッチ検出電極ＴＤＬが設けられている。さらに、この第１タッチ検出電極ＴＤＬの上方には、偏光板３５Ａが設けられている。
【００３８】
ＴＦＴ基板２１とガラス基板３１とは、図示しないスペーサを介して所定の間隔を設けて対向して配置される。ＴＦＴ基板２１とガラス基板３１との間の空間に液晶層６が設けられる。液晶層６は、電界の状態に応じてそこを通過する光を変調するものであり、例えば、ＦＦＳ（フリンジフィールドスイッチング）を含むＩＰＳ（インプレーンスイッチング）等の横電界モードの液晶が用いられる。なお、図１１に示す液晶層６と画素基板２との間、及び液晶層６と対向基板３との間には、それぞれ配向膜が配設されてもよい。
【００３９】
ＴＦＴ基板２１には、図１２に示す各副画素ＳＰｉｘの薄膜トランジスタ素子（以下、ＴＦＴ素子）Ｔｒ、各画素電極２２に画素信号Ｖｐｉｘを供給する画素信号線ＳＧＬ、各ＴＦＴ素子Ｔｒを駆動する駆動信号Ｖｃｏｍを供給する走査信号線ＧＣＬ等の配線が形成されている。画素信号線ＳＧＬ及び走査信号線ＧＣＬは、ＴＦＴ基板２１の表面と平行な平面に延在する。
【００４０】
図１２に示す表示パネル２０は、マトリックス状に配列された複数の副画素ＳＰｉｘを有している。副画素ＳＰｉｘは、それぞれＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Ｍｅｔａｌ  Ｏｘｉｄｅ  Ｓｅｍｉｃｏｎｄｕｃｔｏｒ）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００４１】
副画素ＳＰｉｘは、走査信号線ＧＣＬにより、表示パネル２０の同じ行に属する他の副画素ＳＰｉｘと互いに接続されている。走査信号線ＧＣＬは、ゲートドライバ１２（図１参照）と接続され、ゲートドライバ１２より走査信号Ｖｓｃａｎが供給される。また、副画素ＳＰｉｘは、画素信号線ＳＧＬにより、表示パネル２０の同じ列に属する他の副画素ＳＰｉｘと互いに接続されている。画素信号線ＳＧＬは、ソースドライバ１３（図１参照）と接続され、ソースドライバ１３より画素信号Ｖｐｉｘが供給される。さらに、副画素ＳＰｉｘは、駆動電極ＣＯＭＬにより、同じ列に属する他の副画素ＳＰｉｘと互いに接続されている。駆動電極ＣＯＭＬは、駆動電極ドライバ１４（図１参照）と接続され、駆動電極ドライバ１４より駆動信号Ｖｃｏｍが供給される。つまり、この例では、同じ一列に属する複数の副画素ＳＰｉｘが一本の駆動電極ＣＯＭＬを共有するようになっている。本実施形態の駆動電極ＣＯＭＬは、画素信号線ＳＧＬの延出方向と平行に延び、走査信号線ＧＣＬの延出方向と交差する方向に延びる。駆動電極ＣＯＭＬは、これに限定されず、例えば走査信号線ＧＣＬと平行な方向に延びていてもよい。
【００４２】
図１に示すゲートドライバ１２は、走査信号線ＧＣＬを順次走査するように駆動する。ゲートドライバ１２は、走査信号線ＧＣＬを介して、走査信号Ｖｓｃａｎ（図１参照）を副画素ＳＰｉｘのＴＦＴ素子Ｔｒのゲートに印加することにより、副画素ＳＰｉｘのうちの１行（１水平ライン）を表示駆動の対象として順次選択する。また、タッチ検出機能付き表示装置１は、１水平ラインに属する副画素ＳＰｉｘに対して、ソースドライバ１３は、図１２に示す画素信号線ＳＧＬを介して、画素信号Ｖｐｉｘを、選択された１水平ラインを構成する副画素ＳＰｉｘに供給する。そして、これらの副画素ＳＰｉｘでは、供給される画素信号Ｖｐｉｘに応じて１水平ラインずつ表示が行われるようになっている。この表示動作を行う際、駆動電極ドライバ１４は、駆動電極ＣＯＭＬに画素駆動用の共通電位を供給する。
【００４３】
図１１に示すカラーフィルタ３２は、例えば赤（Ｒ）、緑（Ｇ）、青（Ｂ）の３色に着色されたカラーフィルタ３２Ｒ，３２Ｇ，３２Ｂの色領域が周期的に配列されていてもよい。上述した図１２に示す各副画素ＳＰｉｘに、Ｒ、Ｇ、Ｂの３色の色領域が１組として対応付けられ、３色の色領域に対応する副画素ＳＰｉｘを１組として画素Ｐｉｘが構成される。図１１に示すように、カラーフィルタ３２は、ＴＦＴ基板２１と垂直な方向において、液晶層６と対向する。なお、カラーフィルタ３２は、異なる色に着色されていれば、他の色の組み合わせであってもよい。また、カラーフィルタ３２は、３色の組み合わせに限定されず、４色以上の組み合わせであってもよい。
【００４４】
駆動電極ＣＯＭＬは、表示パネル２０の複数の画素電極２２に共通の電位を与える共通電極として機能するとともに、タッチパネル３０の相互静電容量方式によるタッチ検出を行う際に駆動信号が出力される電極としても機能する。また、駆動電極ＣＯＭＬは、タッチパネル３０の自己静電容量方式によるタッチ検出を行う際の検出電極として機能してもよい。
【００４５】
図１３は、実施形態に係るタッチ検出機能付き表示部１０の駆動電極ＣＯＭＬ及びタッチ検出電極ＴＤＬの一構成例を表す斜視図である。タッチパネル３０は、画素基板２に設けられた駆動電極ＣＯＭＬと、対向基板３に設けられた第１タッチ検出電極ＴＤＬにより構成されている。駆動電極ＣＯＭＬは、図１３のＸ方向に沿って延在する複数のストライプ状の電極パターンを含む。第１タッチ検出電極ＴＤＬは、駆動電極ＣＯＭＬの電極パターンの延在方向と交差する方向に延びる複数の電極パターンを含む。そして、第１タッチ検出電極ＴＤＬは、ＴＦＴ基板２１（図１１参照）の表面に対する垂直な方向において、駆動電極ＣＯＭＬと対向している。第１タッチ検出電極ＴＤＬの各電極パターンは、第１タッチ検出部４０のタッチ検出信号増幅部４２の入力にそれぞれ接続される（図１参照）。駆動電極ＣＯＭＬの各電極パターンと第１タッチ検出電極ＴＤＬの各電極パターンとの交差部分に、それぞれ静電容量が形成される。
【００４６】
第１タッチ検出電極ＴＤＬ、駆動電極ＣＯＭＬ及び第２タッチ検出電極ＳＴＤＬは、例えば、ＩＴＯ（Ｉｎｄｉｕｍ  Ｔｉｎ  Ｏｘｉｄｅ）等の透光性を有する導電性材料が用いられる。なお、第１タッチ検出電極ＴＤＬ、駆動電極ＣＯＭＬ等、タッチ検出に用いられる電極の形状は、ストライプ状に複数に分割される形状に限られない。例えば、第１タッチ検出電極ＴＤＬ及び駆動電極ＣＯＭＬは、櫛歯形状等であってもよい。あるいは第１タッチ検出電極ＴＤＬ及び駆動電極ＣＯＭＬは、複数に分割されていればよく、駆動電極ＣＯＭＬを分割するスリットの形状は直線であっても、曲線であってもよい。後述する第２タッチ検出電極ＳＴＤＬ及び細分電極ＳＣＯＭＬの形状についても、同様である。第２タッチ検出電極は、細分電極ＳＣＯＭＬと交差する方向に沿って少なくとも１つ以上設けられる。
【００４７】
タッチパネル３０では、相互静電容量方式のタッチ検出動作を行う際、駆動電極ドライバ１４が駆動電極ブロックとして時分割的に順次走査するように駆動することにより、駆動電極ＣＯＭＬの１検出ブロックが順次選択される。そして、第１タッチ検出電極ＴＤＬから第１タッチ検出信号Ｖｄｅｔ１が出力されることにより、１検出ブロックのタッチ検出が行われるようになっている。つまり、駆動電極ブロックは、上述した相互静電容量方式のタッチ検出の基本原理における駆動電極Ｅ１に対応し、第１タッチ検出電極ＴＤＬは、タッチ検出電極Ｅ２に対応するものであり、タッチパネル３０はこの基本原理に従ってタッチ入力を検出するようになっている。図１３に示すように、タッチパネル３０において、互いに交差した第１タッチ検出電極ＴＤＬ及び駆動電極ＣＯＭＬは、静電容量式タッチセンサをマトリックス状に構成している。よって、タッチパネル３０のタッチ検出面全体に亘って走査することにより、外部からの導体の接触又は近接が生じた位置の検出が可能となっている。
【００４８】
タッチパネル３０のタッチ検出面（例えば、被覆部材である透光性のカバー部材５における対向基板３の反対側の面）は、表示パネル２０による表示出力が行われる表示面でもある。よって、表示パネル２０による表示出力が行われる表示領域１０１ａと、タッチパネル３０によるタッチ検出が行われる検出領域とは重複している。表示領域１０１ａと検出領域との重複の度合いは任意であるが、例えば、検出領域が表示領域１０１ａを全てカバーすることが好ましい一形態として挙げられる。
【００４９】
このように、タッチパネル３０は、検出領域に並設された複数の駆動電極ＣＯＭＬ及び複数の第１タッチ検出電極ＴＤＬを有し、検出領域に対するタッチ操作が複数の駆動電極ＣＯＭＬに駆動信号Ｖｃｏｍが出力されているタイミングで行われた場合に生じる第１タッチ検出電極ＴＤＬの電気的変化を示す第１タッチ検出信号Ｖｄｅｔ１に基づいて検出領域に対するタッチ操作を検出するタッチ検出装置として機能する。また、第１タッチ検出電極ＴＤＬ及び第２タッチ検出電極ＳＴＤＬは、駆動電極ＣＯＭＬ及び細分電極ＳＣＯＭＬと非接触の位置に設けられ、第１タッチ検出信号Ｖｄｅｔ１は、駆動信号Ｖｃｏｍが伝送されている駆動電極ＣＯＭＬと第１タッチ検出電極ＴＤＬとの間に生じた静電容量に基づいた信号であり、第２タッチ検出信号Ｖｄｅｔ２は、駆動信号Ｖｃｏｍが伝送されている細分電極ＳＣＯＭＬと第２タッチ検出電極ＳＴＤＬとの間に生じた静電容量に基づいた信号である。
【００５０】
なお、第２タッチ検出電極ＳＴＤＬは、例えば、カバー部材５における対向基板３側の面に設けられるが、これは第２タッチ検出電極ＳＴＤＬの配置の一例であってこれに限られるものでなく、検出領域内で細分電極ＳＣＯＭＬと静電容量を形成可能な範囲内で適宜変更可能である。
【００５１】
図１４は、駆動電極ＣＯＭＬと細分電極ＳＣＯＭＬとの関係及びタッチ検出に係る構成を示す模式図である。本実施形態では、一部の駆動電極ＣＯＭＬは、複数の細分電極ＳＣＯＭＬを有する。具体的には、図１１及び図１４に示すように、駆動電極ＣＯＭＬの一部（駆動電極ＣＯＭＬ２）は、複数の細分電極ＳＣＯＭＬからなる。このように、複数の駆動電極ＣＯＭＬのうち少なくとも１つは、複数の駆動電極ＣＯＭＬの並設ピッチよりも細かいピッチで区切られた複数の細分電極ＳＣＯＭＬに分割されている。なお、駆動電極ＣＯＭＬ１は、細分電極ＳＣＯＭＬを有しない。
【００５２】
また、図１１及び図１４に示すように、タッチ検出機能付き表示装置１には、タッチパネル３０の構成として、平面視で複数の細分電極ＳＣＯＭＬと重なる位置に第２タッチ検出電極ＳＴＤＬが設けられている。第２タッチ検出電極ＳＴＤＬは、駆動電極ＣＯＭＬが延設された所定の一方向に直交する方向に沿って延設されている。第２タッチ検出電極ＳＴＤＬの延設長及び延設範囲は、複数の細分電極ＳＣＯＭＬが設けられた範囲をカバーしている。
【００５３】
本実施形態に係る説明では、図１０、図１１、図１４等で模式的に例示された７つの駆動電極ＣＯＭＬについて説明する。また、当該説明では、図１４等で示すように、７つの駆動電極ＣＯＭＬの各々が設けられている所定の一方向に沿う領域を左側から順に領域Ａ１，Ａ２，…，Ａ７として区別することがある。
【００５４】
実施形態１では、複数の駆動電極ＣＯＭＬはそれぞれ異なるタイミングで駆動される。具体的には、画素基板２は、例えば図１０に示すように、駆動電極ドライバ１４の構成として設けられた伝送切替回路１１０及びシフト駆動回路１３０を有する。本実施形態における駆動電極ドライバ１４の機能は、伝送切替回路１１０、シフト駆動回路１３０の構成及びシフト駆動回路１３０の動作を制御する各種の信号を出力するＤＤＩＣ（Display  Driver  Integrated  Circuit）８０による。伝送切替回路１１０は、例えばＤＤＩＣ８０の制御下で伝送されるデジタル信号に応じてタッチ検出を行う際の駆動信号Ｖｃｏｍに応じた電位を示す駆動電位線ＴＳＶＣＯＭ及びロウレベルの電位を示す電位線ＴＰＬと接続された回路である。ここで、駆動電位線ＴＳＶＣＯＭは、デジタル信号に応じてハイレベルの電位を示す状態になることで、駆動電極ＣＯＭＬ（及び細分電極ＳＣＯＭＬ）に印加される駆動信号Ｖｃｏｍとして機能する電位を示す駆動電位部として機能する。駆動電極ＣＯＭＬは、例えば、タッチ検出を行わない期間中は電位線ＴＰＬと接続されている（図１６参照）。シフト駆動回路１３０は、１つの信号の入力（図１５に示すＳＴ）タイミングに応じて駆動電位線ＴＳＶＣＯＭが接続される駆動電極ＣＯＭＬをシフトさせる。
【００５５】
図１５は、駆動電極ＣＯＭＬと伝送切替回路１１０とシフト駆動回路１３０との接続関係の一例を示す模式図である。図１６は、個別切替回路１１１，１１２，１１３，１１４，１１５，１１６，１１７が有する１組の第１スイッチＳＷ１及び第２スイッチＳＷ２の構成の一例を示す図である。図１４に示すように、伝送切替回路１１０は、領域Ａ１〜Ａ７の各々に設けられた個別切替回路１１１〜１１７を有する。個別切替回路１１１〜１１７は、駆動電位線ＴＳＶＣＯＭ及び電位線ＴＰＬを共有している。
【００５６】
図１５に示すように、シフト駆動回路１３０は、複数のシフト信号出力回路ＳＲを有する。シフト信号出力回路ＳＲは、例えばフリップフロップ回路である。個別切替回路１１１〜１１７は、少なくとも１つのシフト信号出力回路ＳＲと接続されており、シフト信号出力回路ＳＲからの信号の有無に応じて駆動電位線ＴＳＶＣＯＭ、電位線ＴＰＬとの接続関係のＯＮ／ＯＦＦを切り替えるように動作する。本実施形態では、個別切替回路１１１〜１１７は、シフト信号出力回路ＳＲからの出力がある場合に駆動電位線ＴＳＶＣＯＭと接続し（ＯＮ）、電位線ＴＰＬとの接続を切断する（ＯＦＦ）。一方、個別切替回路１１１〜１１７は、シフト信号出力回路ＳＲからの出力がない場合に電位線ＴＰＬと接続し（ＯＮ）、駆動電位線ＴＳＶＣＯＭとの接続を切断する（ＯＦＦ）。図１４、図１５等では、領域Ａ１，Ａ２，…，Ａ７の各々に設けられた駆動電極ＣＯＭＬ（駆動電極ＣＯＭＬ１又は駆動電極ＣＯＭＬ２）と接続されている個別切替回路１１１，１１２，…，１１７と個別に接続されるシフト信号出力回路ＳＲが配置されている領域に、符号１３１，１３２，…，１３７を付している。
【００５７】
細分電極ＳＣＯＭＬを有しない駆動電極ＣＯＭＬ１と細分電極ＳＣＯＭＬを有する駆動電極ＣＯＭＬ２では、設けられるシフト信号出力回路ＳＲの数が異なる。具体的には、駆動電極ＣＯＭＬ１が設けられた領域Ａ１〜Ａ３，Ａ５〜Ａ７には、それぞれ１つのシフト信号出力回路ＳＲが設けられている。駆動電極ＣＯＭＬ２が設けられた領域には、細分電極ＳＣＯＭＬの数に１を加えた数のシフト信号出力回路ＳＲが設けられている。
【００５８】
図１５に示すように、駆動電極ＣＯＭＬ２と接続されている個別切替回路１１４は、細分電極ＳＣＯＭＬと駆動電位線ＴＳＶＣＯＭ、電位線ＴＰＬとの接続関係のＯＮ／ＯＦＦを個別に切り替えられる数のスイッチを有している。具体的には、図１６に示すように、１つの細分電極ＳＣＯＭＬは、駆動電位線ＴＳＶＣＯＭとの接続関係のＯＮ／ＯＦＦを切り替える第１スイッチＳＷ１を介して駆動電位線ＴＳＶＣＯＭと接続されると共に、電位線ＴＰＬとの接続関係のＯＮ／ＯＦＦを切り替える第２スイッチＳＷ２を介して電位線ＴＰＬと接続される。第１スイッチＳＷ１は、シフト信号出力回路ＳＲからの出力がある場合にＯＮになり、シフト信号出力回路ＳＲからの出力がない場合にＯＦＦになる。第２スイッチＳＷ２は、シフト信号出力回路ＳＲからの出力がない場合にＯＮになり、シフト信号出力回路ＳＲからの出力がある場合にＯＦＦになる。１つの駆動電極ＣＯＭＬに対して設けられる第１スイッチＳＷ１及び第２スイッチＳＷ２の数は、１つの駆動電極ＣＯＭＬ２が有する細分電極ＳＣＯＭＬの数に応じた数又は１つの駆動電極ＣＯＭＬ２の駆動に係り設けられるシフト信号出力回路ＳＲの数に応じた数である。また、１つの駆動電極ＣＯＭＬ２に対して設けられる第１スイッチＳＷ１及び第２スイッチＳＷ２が配置されるＸ方向の幅は、１つの駆動電極ＣＯＭＬ２のＸ方向の幅と対応していることが望ましい。
【００５９】
駆動電極ＣＯＭＬ２と接続されている個別切替回路１１４が有する第１スイッチＳＷ１及び第２スイッチＳＷ２は、細分電極ＳＣＯＭＬの数に応じた数のＯＲ回路を介して２つのシフト信号出力回路ＳＲと接続されており、当該２つのシフト信号出力回路ＳＲのいずれか一方から出力がある場合に第１スイッチＳＷ１がＯＮになり、両方の出力がない場合に第２スイッチＳＷ２がＯＮになる。
【００６０】
本実施形態における細分電極ＳＣＯＭＬを有しない駆動電極ＣＯＭＬ１と接続されている個別切替回路１１１，１１２，１１３，１１５，１１６，１１７は、細分電極ＳＣＯＭＬを有する駆動電極ＣＯＭＬ２と接続されている個別切替回路１１４が有する第１スイッチＳＷ１及び第２スイッチＳＷ２と同数の第１スイッチＳＷ１及び第２スイッチＳＷ２を有しているが、これは一例であってこれに限られるものでなく適宜変更可能であり、少なくとも１つ以上の第１スイッチＳＷ１及び第２スイッチＳＷ２を有していればよい。
【００６１】
図１７は、接続関係にある２つのシフト信号出力回路ＳＲの概略構成図である。図１８は、接続関係にある２つのシフト信号出力回路ＳＲの具体的な回路構成の一例を示す図である。図１９は、図１８に示すシフト信号出力回路ＳＲの動作に係る各種の信号の時系列的な関係を示すタイミングチャートである。シフト信号出力回路ＳＲは、例えば図１７に示すように、ＡＮＤ回路と、出力論理回路ＳＲｐと、中継論理回路ＳＲｑとを有する。出力論理回路ＳＲｐは、ＡＮＤ回路の２つの入力のうち一方に出力ライン（ＳＲ−ｏｕｔ）が接続された回路である。中継論理回路ＳＲｑは、出力ライン（ＳＲ−ｏｕｔ）からの分岐出力を入力として（ｉｎｂ）当該入力のタイミングに対して出力タイミングをシフトさせる回路である。以下、シフト信号出力回路ＳＲによる信号出力タイミングのシフトにおいて、より先に出力が行われる回路を上流側の回路とし、より後に出力が行われる回路を下流側の回路とすることがある。図１７では、接続関係にある２つのシフト信号出力回路ＳＲのうち、上流側のシフト信号出力回路ＳＲに符号ＳＲｘを付し、下流側のシフト信号出力回路ＳＲに符号ＳＲｙを付している。
【００６２】
タッチ検出の際には、ＡＮＤ回路の２つの入力のうち他方に接続された信号線を介して信号ＴＸが入力される。信号ＴＸは、例えば後述するＤＤＩＣ８０によって出力されるが、信号ＴＸを出力する構成は任意であり、適宜変更可能である。
【００６３】
タッチ検出が開始されるタイミングで、最も上流側のソフト信号出力回路が有する出力論理回路に開始信号（図１８に示すＶＳＴ）が入力されると、出力論理回路ＳＲｐは、開始信号の入力タイミングから第１の遅延期間を経たタイミングでライン出力（ＳＲ−ｏｕｔ）を生じさせる。当該ライン出力（ＳＲ−ｏｕｔ）は、中継論理回路ＳＲｑの動作を開始させる信号（ｉｎｂ）としても機能する。信号（ｉｎｂ）が入力されると、中継論理回路ＳＲｑは、動作開始信号（ｉｎｂ）から第２の遅延期間を経たタイミングで出力（ｉｎａ）を生じさせる。当該出力（ｉｎａ）は、下流側に設けられたシフト信号出力回路ＳＲの出力論理回路ＳＲｐの動作を開始させるトリガー信号として機能する。本実施形態では、第１の遅延期間と第２の遅延期間とは異なる期間であり、第２の遅延期間による遅延時間のほうがより長い時間であるが、これらの遅延期間はあくまでシフト信号出力回路ＳＲによる信号の出力タイミングのシフトのために設定された遅延期間の具体例であり、適宜変更可能である。
【００６４】
より具体的には、開始信号（ＶＳＴ）は、出力論理回路ＳＲｐのＮＯＲ回路の２系統の入力の一方に入力され、入力パルスとしてロウからハイに移行することでＮＯＲ回路からの出力（ｘｉｎａ）をハイからロウにする。ロウになったＮＯＲ回路からの出力（ｘｉｎａ）は、当該出力論理回路ＳＲｐのクロック信号（ＣＫ）の入力ゲートスイッチを開き、当該出力論理回路ＳＲｐに対するクロック信号（ＣＫ）の入力を開始させる。当該出力論理回路ＳＲｐに入力されたクロック信号（ＣＫ）は、ＮＯＴ回路等の中継回路を用いたタイミング調整を経てライン出力（ＳＲ−ｏｕｔ＜ｘ＞）となる。また、当該クロック信号（ＣＫ）は、ＮＯＲ回路へのフィードバック信号（ｂａｃｋａ）としてＮＯＲ回路の２系統の入力の他方に入力される。当該フィードバック信号（ｂａｃｋａ）は、開始信号（ＶＳＴ）の入力パルスがハイである期間が終了してロウになった後にＮＯＲ回路からの出力（ｘｉｎａ）を保持期間だけ継続させる。また、ライン出力（ＳＲ−ｏｕｔ＜ｘ＞）は、分岐して中継論理回路ＳＲｑの動作開始信号（ｉｎｂ）として中継論理回路ＳＲｑのＮＯＲ回路の２系統の入力の一方に入力される。動作開始信号（ｉｎｂ）の入力パルスによってＮＯＲ回路の入力がロウからハイに移行することでＮＯＲ回路からの出力（ｘｘｉｎｂ）をハイからロウにする。ロウになったＮＯＲ回路からの出力（ｘｘｉｎｂ）は、当該中継論理回路ＳＲｑのクロック信号（ＣＫ）の入力ゲートスイッチを開き、当該中継論理回路ＳＲｑに対するクロック信号（ＣＫ）の入力を開始させる。当該中継論理回路ＳＲｑに入力されたクロック信号（ＣＫ）は、ＮＯＴ回路等の中継回路を用いたタイミング調整を経て、当該中継論理回路ＳＲｑの出力（ｉｎａ）となる。当該出力（ｉｎａ）は、下流側のシフト信号出力回路ＳＲが有する出力論理回路ＳＲｐの動作を開始させるトリガー信号として機能する。すなわち、当該出力（ｉｎａ）は、開始信号（ＶＳＴ）と同様に機能して下流側のシフト信号出力回路ＳＲが有する出力論理回路ＳＲｐを動作させ、入力パルスがハイである期間に応じてライン出力（ＳＲ−ｏｕｔ＜ｙ＞）を生じさせる。以降、互いに接続されている複数のシフト信号出力回路ＳＲは同様の仕組みで動作タイミングをシフトさせながら動作する。
【００６５】
なお、開始信号（ＶＳＴ）は、後述する第１系統の開始信号（ＳＴ）又は第２系統の開始信号（ＳＴ＿ＦＰ）のいずれかである。また、中継論理回路ＳＲｑは、出力論理回路ＳＲｐよりも中継回路の数が多いため、保持期間が長くなっている。このように、シフト信号出力回路ＳＲは出力タイミング及び動作タイミングを調整することができるようになっている。また、図１８に示す「ｘＤｉｓｃ」のＰチャンネルは、開始信号（ＶＳＴ）が入力される前の期間にＮＯＲ回路からの出力（ｘｉｎａ）をより安定させる目的で最初だけオンするようになっている。同様の目的で、係るＰチャンネルの代わりに高抵抗でプルアップする構成を設けてもよい。
【００６６】
シフト信号出力回路ＳＲは、ＡＮＤ回路の入力側にライン出力（ＳＲ−ｏｕｔ）及び信号ＴＸの入力があった場合にＡＮＤ回路の出力側から出力を生じさせる。このように、本実施形態におけるシフト信号出力回路ＳＲからの出力の有無は、例えば、当該ＡＮＤ回路からの出力のハイ／ロウによる。具体的には、シフト信号出力回路ＳＲからの出力がある場合とは、当該ＡＮＤ回路の出力がハイである場合である。また、本実施形態では、シフト信号出力回路ＳＲからの出力がない場合とは、当該ＡＮＤ回路の出力がロウである場合である。信号ＴＸは、例えばＤＤＩＣ８０による制御下でライン出力（ＳＲ−ｏｕｔ）がハイであるタイミングに合わせてパルスとして出力される。シフト信号出力回路ＳＲは、出力ライン（ＳＲ−ｏｕｔ）からの信号の入力及び信号ＴＸの入力の両方があったタイミングに応じて出力を生じさせる。
【００６７】
図１５に示すように、細分電極ＳＣＯＭＬを有しない駆動電極ＣＯＭＬ１と接続されている個別切替回路１１１，１１２，１１３，…は、それぞれ１つのシフト信号出力回路ＳＲ１，ＳＲ２，ＳＲ３，…と接続されている。また、図１８及び図１９を参照した説明にもあるように、上流側のシフト信号出力回路ＳＲｘが有する中継論理回路の出力（ｉｎａ）は、その下流側のシフト信号出力回路ＳＲｙが有する出力論理回路の動作を開始させるトリガー信号になる。すなわち、２つのシフト信号出力回路ＳＲのうち上流側のシフト信号出力回路ＳＲｘは、接続された個別切替回路１１１〜１１７の第１スイッチＳＷ１をＯＮして第２スイッチＳＷ２をＯＦＦすることに加えて、下流側のシフト信号出力回路ＳＲｙをより後のタイミングで動作させるためのトリガー信号を出力する。以下、便宜的に、「個別切替回路（例えば、個別切替回路１１１〜１１７）の第１スイッチＳＷ１がＯＮであり、第２スイッチＳＷ２がＯＦＦである状態」を「動作状態」とし、「個別切替回路（例えば、個別切替回路１１１〜１１７）の第１スイッチＳＷ１がＯＦＦであり、第２スイッチＳＷ２がＯＮである状態」を「非動作状態」と記載することがある。
【００６８】
具体的には、図１５において最も上流側の領域Ａ１に配置されたシフト信号出力回路ＳＲ１は、開始信号（ＳＴ）の入力を動作開始のトリガー信号として動作し、出力を生じさせて領域Ａ１に配置された個別切替回路１１１を動作状態とする。シフト信号出力回路ＳＲ１からの出力がある期間は、開始信号（ＶＳＴ）（図１８、図１９参照）として機能する開始信号（ＳＴ）のパルス期間に応じる。また、その下流側の領域Ａ２に配置されたシフト信号出力回路ＳＲ２は、シフト信号出力回路ＳＲ１からのトリガー信号に応じて動作し、シフト信号出力回路ＳＲ１の出力タイミングよりも後のタイミングで出力を生じさせて領域Ａ２に配置された個別切替回路１１２を動作状態とする。また、その下流側の領域Ａ３に配置されたシフト信号出力回路ＳＲ３は、シフト信号出力回路ＳＲ２からのトリガー信号に応じて動作し、シフト信号出力回路ＳＲ２の出力タイミングよりも後のタイミングで出力を生じさせて領域Ａ３に配置された個別切替回路１１３を動作状態とする。このように、タッチ検出期間中に駆動電位線ＴＳＶＣＯＭから駆動信号Ｖｃｏｍが伝送されるタイミングが順次シフトする。シフト信号出力回路ＳＲ１よりも下流側のシフト信号出力回路ＳＲ２，シフト信号出力回路ＳＲ３，…からの出力がある期間は、上流側のシフト信号出力回路ＳＲが有する中継論理回路ＳＲｑの出力（ｉｎａ）のパルス期間に応じる。係る中継論理回路ＳＲｑの出力（ｉｎａ）のパルス期間は、最も上流のシフト信号出力回路ＳＲ１の動作開始タイミングを決定する開始信号（ＳＴ）のパルス期間に応じてシフトしている。
【００６９】
細分電極ＳＣＯＭＬを有するＣＯＭＬ２の領域（例えば、領域Ａ４）には、上記で説明したように、細分電極ＳＣＯＭＬの数に１を加えた数のシフト信号出力回路が設けられている。このうち、１つのシフト信号出力回路ＳＲ４は、個別切替回路１１４との間に細分電極ＳＣＯＭＬの数に応じた数のＯＲ回路が設けられている点を除いて細分電極ＳＣＯＭＬを有しないＣＯＭＬ１の領域（例えば、領域Ａ１〜Ａ３）におけるシフト信号出力回路と同様の関係で上流側の領域及び下流側の領域のシフト信号出力回路と接続されている。すなわち、シフト信号出力回路ＳＲ４は、シフト信号出力回路ＳＲ３からのトリガー信号に応じて動作し、シフト信号出力回路ＳＲ３の出力タイミングよりも後のタイミングで出力を生じさせる。ここで、シフト信号出力回路ＳＲ４と個別切替回路１１４との間にあるのはＯＲ回路であるから、シフト信号出力回路ＳＲ４のみの出力で、個別切替回路１１４に設けられた全ての第１スイッチＳＷ１がＯＮになるとともに、全ての第２スイッチＳＷ２がＯＦＦになる。すなわち、シフト信号出力回路ＳＲ４の出力によって、領域Ａ４に配置された個別切替回路１１４は動作状態となり、駆動電極ＣＯＭＬ２が有する全ての細分電極ＳＣＯＭＬに駆動信号Ｖｃｏｍが伝送される。全ての細分電極ＳＣＯＭＬに駆動信号Ｖｃｏｍが伝送されることで、実質的に駆動電極ＣＯＭＬ１と同様の領域に配置された電極に駆動信号Ｖｃｏｍが伝送された状態になることから、駆動電極ＣＯＭＬ２は、駆動電極ＣＯＭＬ１と同様、駆動電極ＣＯＭＬの１つとして機能しタッチの有無を検出できる。また、シフト信号出力回路ＳＲ４より下流側に設けられているシフト信号出力回路も、シフト信号出力回路ＳＲ２，ＳＲ３と同様の仕組みで動作する。
【００７０】
一方、細分電極ＳＣＯＭＬを有するＣＯＭＬ２の領域に設けられたシフト信号出力回路のうち、１つのシフト信号出力回路ＳＲ４を除くシフト信号出力回路ＳＲａ，ＳＲｂ，ＳＲｃ，ＳＲｄは、細分電極ＳＣＯＭＬを有しないＣＯＭＬ１の領域（例えば、領域Ａ１〜Ａ３）におけるシフト信号出力回路との間でトリガー信号の入出力を行わない独立した系統の回路になっている。係るシフト信号出力回路ＳＲａ，ＳＲｂ，ＳＲｃ，ＳＲｄは、細分電極ＳＣＯＭＬに対する駆動信号Ｖｃｏｍの伝送に用いられる。
【００７１】
具体的には、図１５における領域Ａ４のシフト信号出力回路ＳＲａ，ＳＲｂ，ＳＲｃ，ＳＲｄは、上流側から下流側に向かってシフト信号出力回路ＳＲａ，ＳＲｂ，ＳＲｃ，ＳＲｄの順に接続されている。このうち、最も上流側の領域Ａ１に配置されたシフト信号出力回路ＳＲａは、開始信号（ＳＴ＿ＦＰ）の入力を動作開始のトリガー信号として動作し、出力を生じさせる。当該出力は、１つのＯＲ回路を介して領域Ａ４の最も上流側に配置された第１スイッチＳＷ１をＯＮにする。
【００７２】
また、シフト信号出力回路ＳＲａの下流側に配置されたシフト信号出力回路ＳＲｂは、シフト信号出力回路ＳＲａからのトリガー信号に応じて動作し、シフト信号出力回路ＳＲａの出力タイミングよりも後のタイミングで出力を生じさせて領域Ａ４において上流側から２番目に配置された第１スイッチＳＷ１をＯＮにする。以降、シフト信号出力回路ＳＲｃ，ＳＲｄも、同様の仕組みで順に動作する。
【００７３】
このように、本実施形態では、第１モードで、駆動信号が伝送される駆動電極ＣＯＭＬ１が駆動電極ＣＯＭＬの並設方向の一端側から他端側に向かって１つずつシフトする。また、本実施形態では、第２モードで、駆動信号Ｖｃｏｍが伝送される細分電極ＳＣＯＭＬが駆動電極ＣＯＭＬの並設方向の一端側から他端側に向かって１つずつシフトする。
【００７４】
領域Ａ４において駆動電極ＣＯＭＬ２が有する細分電極ＳＣＯＭＬは、シフト信号出力回路ＳＲａ，ＳＲｂ，ＳＲｃ，ＳＲｄからの出力に応じて順に動作する第１スイッチＳＷ１がＯＮになるタイミングで駆動信号Ｖｃｏｍが順次伝送される。第２タッチ検出電極ＳＴＤＬと接続された第２タッチ検出部６０は、駆動信号Ｖｃｏｍが伝送されている細分電極ＳＣＯＭＬとの間の静電容量に応じた第２タッチ検出信号Ｖｄｅｔ２を出力する。第２タッチ検出部６０は、係る第２タッチ検出信号Ｖｄｅｔ２に基づいてタッチ検出（例えば、指紋検出等）を行う。図１５に示す細分電極ＳＣＯＭＬと第２タッチ検出電極ＳＴＤＬとを用いたタッチ検出は、このようにして行われる。以下の説明において、細分電極ＳＣＯＭＬと第２タッチ検出電極ＳＴＤＬとを用いたタッチ検出を第２タッチ検出と記載することがある。
【００７５】
このように、個別切替回路（例えば、個別切替回路１１１〜１１７）及び係る個別切替回路を有する伝送切替回路１１０は、駆動電位部（例えば、駆動電位線ＴＳＶＣＯＭ）と駆動電極ＣＯＭＬとの間で駆動信号の伝送経路を切り替え可能に設けられる。また、複数の細分電極ＳＣＯＭＬを有する駆動電極ＣＯＭＬ２と接続されている個別切替回路１１４は、複数の細分電極ＳＣＯＭＬに一括で駆動信号Ｖｃｏｍを伝送して１つの駆動電極ＣＯＭＬとして機能させる第１モードと個別に駆動信号Ｖｃｏｍを伝送する第２モードとを切替可能に設けられている。第１モードの際には、第１タッチ検出を行うことができる。第２モードの際には、第２タッチ検出を行うことができる。
【００７６】
図２０は、第１モードと第２モードとの切替による第１タッチ検出と第２タッチ検出の切替の流れの一例を示すフローチャートである。例えば、ＤＤＩＣ８０は、第１モードで動作してタッチ検出機能付き表示装置１による第１タッチ検出を行い（ステップＳ１）、検出領域に対する指の位置を示す情報を取得する（ステップＳ２）。ここで、指の位置が所定範囲内である場合（ステップＳ３；Ｙｅｓ）、ＤＤＩＣ８０は、第２モードに移行してタッチ検出機能付き表示装置１による第２タッチ検出を行い、指紋を取得する（図９参照）。所定範囲内とは、例えば、ステップＳ２で特定された指の位置のうち検出領域におけるＹ方向の位置が第２タッチ検出電極ＳＴＤＬに最も近い第１タッチ検出電極ＴＤＬによってカバーされる位置である範囲内をさすが、所定範囲は適宜変更可能である。ステップＳ３の判定は、例えばタッチ検出機能付き表示装置１と接続された外部の制御装置が行うが、ＤＤＩＣ８０等、タッチ検出機能付き表示装置１が備える構成が当該判定を行う機能を有していてもよい。ステップＳ３で、指の位置が所定範囲内でない限り（ステップＳ３；Ｎｏ）、第１タッチ検出を継続するようにしてもよい（ステップＳ１）。
【００７７】
図２１は、第１モードと第２モードとの切替による第１タッチ検出と第２タッチ検出の切替の流れの別の一例を示すフローチャートである。ＤＤＩＣ８０は、第２タッチ検出を実施可能な状態でタッチ検出機能付き表示装置１を待機させる（ステップＳ１１）。この状態で第２タッチ検出電極ＳＴＤＬ上で指のスイープ動作が開始されると、第２タッチ検出電極ＳＴＤＬから指の近接又は接触を示す第２タッチ検出信号Ｖｄｅｔ２が出力される。所定時刻毎に第２タッチ検出信号Ｖｄｅｔ２を取得することで（ステップＳ１２）、第２タッチ検出結果（例えば、図９参照）が示す指紋の凸凹が得られる（ステップＳ１３）。その後、ＤＤＩＣ８０は、タッチ検出機能付き表示装置１が第１タッチ検出を実施可能な状態に移行させる（ステップＳ１４）。
【００７８】
以下、例えばシフト信号出力回路ＳＲ１，ＳＲ２，ＳＲ３，ＳＲ４，…が接続された系統のように、領域Ａ１，Ａ２，Ａ３，Ａ４，…単位で設けられている駆動電極ＣＯＭＬに対する駆動信号Ｖｃｏｍの伝送に用いられるシフト信号出力回路ＳＲの系統を第１系統と記載することがある。また、シフト信号出力回路ＳＲａ，ＳＲｂ，ＳＲｃ，ＳＲｄが接続された系統のように、細分電極ＳＣＯＭＬに対する駆動信号Ｖｃｏｍの伝送に用いられるシフト信号出力回路ＳＲの系統を第２系統と記載することがある。第１系統は、複数の駆動電極ＣＯＭＬを順次駆動するための信号を生成する複数のシフト信号出力回路（例えば、シフト信号出力回路ＳＲ１，ＳＲ２，ＳＲ３，ＳＲ４，…）が順次接続された第１シフトレジスタ回路として機能する。第２系統は、複数の細分電極ＳＣＯＭＬを順次駆動するための信号を生成する複数のシフト信号出力回路（例えば、シフト信号出力回路ＳＲａ，ＳＲｂ，ＳＲｃ，ＳＲｄ）が順次接続された第２シフトレジスタ回路として機能する。また、本実施形態におけるシフト駆動回路１１０は、複数の駆動電極ＣＯＭＬを順次駆動する第１モード時は第１シフトレジスタの信号を複数の駆動電極ＣＯＭＬに供給し、複数の細分電極ＳＣＯＭＬを順次駆動する第２モード時は第２シフトレジスタの信号を複数の細分電極ＳＣＯＭＬに供給する選択回路として機能する。
【００７９】
図１５で例示したように、細分電極ＳＣＯＭＬを有する駆動電極ＣＯＭＬ２の領域に設けられた個別切替回路１１４と、当該個別切替回路１１４と接続されたシフト信号出力回路ＳＲ４，ＳＲａ，ＳＲｂ，ＳＲｃ，ＳＲｄとは、細分電極ＳＣＯＭＬの数に応じた数のＯＲ回路を介して接続されている。１つのＯＲ回路の出力は、１つの細分電極ＳＣＯＭＬと駆動電位線ＴＳＶＣＯＭ及び電位線ＴＰＬとの接続関係のＯＮ／ＯＦＦを切り替えるための１つの第１スイッチＳＷ１及び１つの第２スイッチＳＷ２を動作させる。また、１つのＯＲ回路の入力側には、第１系統に接続されている１つのシフト信号出力回路ＳＲ４と、第２系統に接続されている１つのシフト信号出力回路（シフト信号出力回路ＳＲａ，ＳＲｂ，ＳＲｃ，ＳＲｄのいずれか）とが接続されている。本実施形態では、細分電極ＳＣＯＭＬを有する駆動電極ＣＯＭＬは、このようなＯＲ回路を介した接続によって第１系統を用いた全ての細分電極ＳＣＯＭＬの一括駆動と第２系統を用いた複数の細分電極ＳＣＯＭＬの個別駆動とを切り替え可能になっている。
【００８０】
上記で説明した構成により、タッチ検出機能付き表示装置１のタッチパネル３０は、開始信号の使い分けによって第１タッチ検出と第２タッチ検出を使い分けることができるよう設けられている。具体的には、第１タッチ検出を行う場合、すなわち、駆動電極ＣＯＭＬ単位でのタッチ検出を行う場合には、開始信号（ＳＴ）が第１系統の最も上流側に入力される。一方、第２タッチ検出を行う場合、すなわち、指紋検出のように細分電極ＳＣＯＭＬと第２タッチ検出電極ＳＴＤＬとを用いたタッチ検出を行う場合には、開始信号（ＳＴ＿ＦＰ）が第２系統の最も上流側に入力される。これらのタッチ検出の実施に係る開始信号の出力は、例えばＤＤＩＣ８０が行う。本実施形態の駆動電極ドライバ１４は、ＤＤＩＣ８０の制御下でシフト信号出力回路ＳＲ及び伝送切替回路１１０の動作により駆動電位線ＴＳＶＣＯＭと駆動電極ＣＯＭＬとを接続状態にすることで駆動信号Ｖｃｏｍを駆動電極ＣＯＭＬに出力する構成として設けられている。
【００８１】
具体的には、例えば図１０に示すように、画素基板２には、例えばフレキシブルプリント基板（ＦＰＣ：Flexible  Printed  Circuits）７０が接続されている。係るＦＰＣ７０には、第１タッチ検出部４０、第２タッチ検出部６０及びＤＤＩＣ８０が形成されている。ＤＤＩＣ８０は、例えば、制御部１１、ゲートドライバ１２及びソースドライバ１３に係る機能が実装されている。また、ＤＤＩＣ８０にはＦＰＣ７０を介して外部からの信号（例えば、映像信号Ｖｄｉｓｐ、指紋検出実施信号Ｖｔｏｕｃｈ等）が伝送される。指紋検出実施信号Ｖｔｏｕｃｈは、例えば、第２モードでの動作による第２タッチ検出の実施に係るトリガーとなる信号が得られた場合に外部から入力される。具体例を挙げると、タッチ検出機能付き表示装置１が接続されている外部の機器に対してＤＤＩＣ８０が第１タッチ検出信号Ｖｄｅｔ１を伝送すると、第１タッチ検出信号Ｖｄｅｔ１が示すタッチ検出結果に基づいて上記のステップＳ３等の判定を行い、判定結果に応じて当該外部の機器が指紋検出実施信号Ｖｔｏｕｃｈをタッチ検出機能付き表示装置１に出力する。これによって、第２タッチ検出が行われることになる。
【００８２】
また、本実施形態では、ＤＤＩＣ８０は、タッチ検出に係る各種の制御を行う。具体的には、ＤＤＩＣ８０は、例えば表示出力内容の更新と交互に実施される第１タッチ検出に際して開始信号（ＳＴ）を出力し、第１タッチ検出部４０を動作させる。また、ＤＤＩＣ８０は、例えば指紋検出実施信号Ｖｔｏｕｃｈに応じて行われる第２タッチ検出に際して開始信号（ＳＴ＿ＦＰ）を出力し、第２タッチ検出部６０を動作させる。
【００８３】
実施形態では、例えば図１０に示すように、第１タッチ検出部４０、第２タッチ検出部６０及びＤＤＩＣ８０が所謂ＣＯＦ（Chip  on  Flexible）方式でＦＰＣ７０に設けられているが、これはタッチ検出機能付き表示装置１が有する各種の集積回路の具体的配置例であってこれに限られるものでなく、適宜変更可能である。
【００８４】
また、本実施形態のタッチ検出機能付き表示装置１は、セレクトスイッチ部１５０を有する。セレクトスイッチ部１５０は、ＦＰＣ７０と画素基板２との電気的接続状態を接続又は非接続のいずれかに切り替える。具体的には、セレクトスイッチ部１５０は、例えば、画素基板２に設けられた配線とＦＰＣ７０が有する配線との間に介在するよう設けられたスイッチを有する。セレクトスイッチ部１５０は、スイッチのＯＮ／ＯＦＦ動作に応じて画素基板２とＦＰＣ７０との接続（ＯＮ）と切断（ＯＦＦ）とを切り替えるように動作する。セレクトスイッチ部１５０のＯＮ／ＯＦＦ動作は、例えばＤＤＩＣ８０が出力する切替用の信号に応じるが、これはセレクトスイッチ部１５０の動作制御の一形態であってこれに限られるものでなく、適宜変更可能である。
【００８５】
なお、図１５で図示されている駆動電極ＣＯＭＬ２が有する細分電極ＳＣＯＭＬは４つであるが、これは個別切替回路（特に、個別切替回路１１４）及び当該個別切替回路と接続されている第１系統と第２系統が混在して設けられた領域のシフト信号出力回路ＳＲとの関係を分かりやすくする目的で細分電極ＳＣＯＭＬの数を限定して図示しているに過ぎず、必ずしも実際の細分電極ＳＣＯＭＬの数を示すものでない。また、図１０、図１４等で図示している駆動電極ＣＯＭＬ１、駆動電極ＣＯＭＬ２の各々の数及び駆動電極ＣＯＭＬの総数についても、同様に模式的な例示であり、必ずしもこれらの各々の構成の実際の数を示すものでない。
【００８６】
以上、本実施形態によれば、第１モードの際に実施される第１タッチ検出における検出領域内に設けられた駆動電極ＣＯＭＬ２が、第２モードで駆動可能な複数の細分電極ＳＣＯＭＬを有している。すなわち、指紋の検出等に用いられてより高い分解能でのタッチ検出を実施可能な第２タッチ検出に用いられる複数の細分電極ＳＣＯＭＬを、検出領域におけるヒトの指の位置の特定等に用いられる第１タッチ検出に用いられる駆動電極ＣＯＭＬとして用いることができる。よって、指紋の検出等に用いられるより高い分解能を有する検出領域をタッチ操作の検出領域と共有することができる。
【００８７】
また、駆動信号Ｖｃｏｍが伝送される単位（駆動電極ＣＯＭＬ単位又は細分電極ＳＣＯＭＬ単位）が駆動電極ＣＯＭＬの並設方向の一端側から他端側に向かって１つずつシフトするので、より簡易な制御で検出領域の走査を実施することができる。
【００８８】
以下、本発明の変形例及び他の実施形態について説明する。係る説明では、領域ｎ−１，ｎ，ｎ＋１にそれぞれ設けられた個別切替回路にそれぞれ１１ｎ−１，１１ｎ，１１ｎ＋１の符号を付していることがある。また、第１系統のシフト信号出力回路ＳＲに、ＳＲ１，ＳＲ２，ＳＲ３，ＳＲ４，ＳＲ５，…，ＳＲｎ−１，ＳＲｎ，ＳＲｎ＋１，…，ＳＲＭＡＸ−２，ＳＲＭＡＸ−１，ＳＲＭＡＸの符号を付していることがある。変形例及び他の実施形態は、特筆する事項を除いて実施形態１と同様の構成である。
【００８９】
（変形例）
図２２は、本発明の変形例に係るタッチ検出機能付き表示装置１Ａのうち、特にタッチ検出に係る構成を模式的に示す平面図である。図２３は、変形例における駆動電極ＣＯＭＬと伝送切替回路１１０とシフト駆動回路１３０との接続関係の一例を示す模式図である。実施形態１では、図１０に示すように、シフト駆動回路１３０が伝送切替回路１１０とセレクトスイッチ部１５０との間に配置されているが、これはシフト駆動回路１３０の具体的配置例であってこれに限られるものでなく、適宜変更可能である。例えば、図２２に示すように、表示領域１０１ａ側からＦＰＣ７０側に向かって順に、伝送切替回路１１０、セレクトスイッチ部１５０、シフト駆動回路１３０の順に各構成が配置されていてもよい。この場合、例えば図２３に示すように、シフト駆動回路１３０のシフト信号出力回路と伝送切替回路１１０の個別切替回路１１ｎ−１，１１ｎ，１１ｎ＋１とは、個別に設けられた中継配線１６０を介して接続される。なお、変形例におけるシフト駆動回路１３０のシフト信号出力回路ＳＲｎ−１，ＳＲｎ，ＳＲｎ＋１と伝送切替回路１１０の個別切替回路１１ｎ−１，１１ｎ，１１ｎ＋１との電気的接続関係は実施形態１と同様である。また、セレクトスイッチ部１５０及びシフト駆動回路１３０の配置が変更された点を除いて、変形例の構成は、実施形態１と同様である。
【００９０】
（実施形態２）
以下、実施形態１とは異なる実施形態として、複数の駆動電極ＣＯＭＬ（駆動電極ＣＯＭＬ２）がそれぞれ複数の細分電極ＳＣＯＭＬを有する実施形態（実施形態２）について説明する。図２４は、実施形態２における駆動電極ＣＯＭＬと伝送切替回路１１０とシフト駆動回路１３０との接続関係の一例を示す模式図である。図２４に示すように、複数の駆動電極ＣＯＭＬ（駆動電極ＣＯＭＬ２）は、それぞれ複数の細分電極ＳＣＯＭＬを有していてもよい。
【００９１】
１つの領域における１つの駆動電極ＣＯＭＬ２が有する複数の細分電極ＳＣＯＭＬと、当該複数の細分電極ＳＣＯＭＬと接続されている個別切替回路１１ｎと、当該個別切替回路１１ｎと接続されているシフト信号出力回路ＳＲｎ，ＳＲａ，ＳＲｂ，ＳＲｃ，ＳＲｄとの関係は、実施形態１と実施形態２とで同様である。すなわち、駆動電極ＣＯＭＬ２と接続されている個別切替回路１１ｎは、細分電極ＳＣＯＭＬの数に応じた数のＯＲ回路を介して第１系統及び第２系統と接続されている。
【００９２】
複数の駆動電極ＣＯＭＬ２は、第２タッチ検出の際にそれぞれ個別の開始信号に基づいて駆動される。すなわち、複数の駆動電極ＣＯＭＬ２のそれぞれに個別に設けられた第２系統は、それぞれ個別の開始信号の入力部を有する。図２４等では、領域ｎ−１，ｎ，ｎ＋１のそれぞれに対応する開始信号をそれぞれＳＴ＿ＦＰ＜ｎ−１＞，ＳＴ＿ＦＰ＜ｎ＞，ＳＴ＿ＦＰ＜ｎ＋１＞としている。
【００９３】
図２４では、領域ｎ−１，ｎ，ｎ＋１の３つの領域に駆動電極ＣＯＭＬ２が配置されている場合を例示しているが、これはあくまで複数の駆動電極ＣＯＭＬ２がそれぞれ複数の細分電極ＳＣＯＭＬを有する実施形態を模式的に示す一例であってこれに限られるものでない。複数の細分電極ＳＣＯＭＬを有する駆動電極ＣＯＭＬ２の数は２つであってもよいし、４つ以上であってもよい。また、タッチ検出機能付き表示装置が有する全ての駆動電極ＣＯＭＬは、それぞれ複数の細分電極ＳＣＯＭＬを有する駆動電極ＣＯＭＬ２であってもよい。この場合、第２タッチ検出電極ＳＴＤＬは、全ての駆動電極ＣＯＭＬをカバーするよう設けられる。係る第２タッチ検出電極ＳＴＤＬは、第１タッチ検出に兼用することができる。すなわち、全ての駆動電極ＣＯＭＬをカバーするよう設けられた第２タッチ検出電極ＳＴＤＬを、第１タッチ検出電極ＴＤＬの１つとして用いるようにしてもよい。
【００９４】
第２タッチ検出電極ＳＴＤＬを第１タッチ検出電極ＴＤＬの１つとして用いる場合、第２タッチ検出部６０は、第１タッチ検出と第２タッチ検出の両方に対応可能に設けられる。具体的には、例えばタッチ検出信号増幅部６２に含まれる積分回路の構成（電圧検出器ＤＥＴ）に設けられたコンデンサ６２１が保持する静電容量（基準容量）が第１タッチ検出用の静電容量と第２タッチ検出用の静電容量とで使い分けられる。これによって、第２タッチ検出部６０は、第１タッチ検出と第２タッチ検出の両方に対応可能とすることができる。より具体的には、係る第２タッチ検出部６０は、例えば第１タッチ検出用のコンデンサと第２タッチ検出用のコンデンサとが個別に設けられた構成である。第１タッチ検出の際に第１タッチ検出用のコンデンサが接続された電圧検出器ＤＥＴが動作する。第２タッチ検出の際に第２タッチ検出用のコンデンサが接続された電圧検出器ＤＥＴが動作する。
【００９５】
以上、実施形態２によれば、複数の駆動電極ＣＯＭＬ２がそれぞれ複数の細分電極ＳＣＯＭＬを有することで、第２タッチ検出を行うことができる領域をより広げやすくなる。
【００９６】
（実施形態３）
図２５は、実施形態３における駆動電極ＣＯＭＬと伝送切替回路１１０とシフト駆動回路（例えば、シフト駆動回路１３０Ａ）との接続関係の一例を示す模式図である。それぞれが複数の細分電極ＳＣＯＭＬを有する複数の駆動電極ＣＯＭＬ２は、１つの第２系統を共有してもよい。具体的には、例えば図２５に示すように、複数の駆動電極ＣＯＭＬ２は、それぞれ個別に設けられた第１系統のシフト信号出力回路ＳＲ（シフト信号出力回路ＳＲｎ−１，ＳＲｎ，ＳＲｎ＋１のいずれか）と個別に接続されるとともに、１つの第２系統として設けられた複数のシフト信号出力回路ＳＲ（シフト信号出力回路ＳＲａ，ＳＲｂ，ＳＲｃ，ＳＲｄ）と接続されてもよい。なお、実施形態３では、第２系統を共有する複数の駆動電極ＣＯＭＬ２がそれぞれ有する細分電極ＳＣＯＭＬの数は互いに等しい。
【００９７】
具体的には、実施形態３における複数の駆動電極ＣＯＭＬ２は、第１セレクタ１７０を介してそれぞれ個別に設けられた第１系統のシフト信号出力回路ＳＲｎ−１，ＳＲｎ，ＳＲｎ＋１と接続される。第１セレクタ１７０は、第１タッチ検出に際して出力される第１セレクタ動作信号（ＴＰ＿ＥＮ）の出力の有無に応じて、第１系統のシフト信号出力回路ＳＲｎ−１，ＳＲｎ，ＳＲｎ＋１の出力ライン（Ｓｏｕｔ＜ｎ−１＞，Ｓｏｕｔ＜ｎ＞，Ｓｏｕｔ＜ｎ＋１＞）と個別切替回路１１ｎ−１，１１ｎ，１１ｎ＋１との接続と非接続とを切り替える。
【００９８】
図２６は、第１セレクタ１７０の具体的構成例を示す図である。図２６では、領域ｎの構成に係る第１セレクタ１７０に係る構成を例示しているが、他の領域の構成に係る第１セレクタ１７０も実質的に同様の構成である。ただし、＜ｎ＞は、領域ｎに係る信号であることを示しており、係る記載が付された信号は、各領域で対応した信号（例えば、＜ｎ−１＞，＜ｎ＋１＞等）に置き換わる。例えば、領域ｎの第１セレクタ１７０は、例えば図２６に示すように、個別切替回路１１ｎに接続された１系統の出力と、第１系統のシフト信号出力回路ＳＲｎの出力ライン（Ｓｏｕｔ＜ｎ＞）及びロウレベル電源に接続された２系統の入力とを有する。
【００９９】
第１セレクタ１７０が有する入力側の２系統のうち、第１系統のシフト信号出力回路ＳＲｎの出力ライン（Ｓｏｕｔ＜ｎ＞）が接続された１系統には、入出力間の接続と非接続とを切り替える第３スイッチ１７１が設けられている。第３スイッチ１７１は、第１セレクタ動作信号（ＴＰ＿ＥＮ）に応じて入出力間を接続する。具体的には、第３スイッチ１７１は、例えば第１セレクタ動作信号（ＴＰ＿ＥＮ）がハイである場合に入出力間を接続状態（ＯＮ）にし、第１セレクタ動作信号（ＴＰ＿ＥＮ）がロウである場合に入出力間を非接続状態（ＯＦＦ）にする。
【０１００】
第１セレクタ１７０が有する入力側の２系統のうち、ロウレベル電源に接続された１系統には、入出力間の接続と非接続とを切り替える第４スイッチ１７２が設けられている。第４スイッチ１７２は、例えばＮＯＲ回路を介して第１セレクタ動作信号（ＴＰ＿ＥＮ）を伝送する配線及び第２タッチ検出に際して出力される第２セレクタ動作信号（ＦＰ＿ＳＥＬ＜ｎ＞）を伝送する配線と接続されている。すなわち、第４スイッチ１７２は、第１セレクタ動作信号（ＴＰ＿ＥＮ）又は第２セレクタ動作信号（ＦＰ＿ＳＥＬ＜ｎ＞）のいずれか一方がハイである場合に入出力間を非接続状態（ＯＦＦ）にし、第１セレクタ動作信号（ＴＰ＿ＥＮ）及び第２セレクタ動作信号（ＦＰ＿ＳＥＬ＜ｎ＞）の両方がロウである場合に入出力間を接続状態（ＯＮ）にする。
【０１０１】
実施形態３において、第１タッチ検出の際には、第２セレクタ動作信号（ＦＰ＿ＳＥＬ＜ｎ＞）はロウである。この状態で、第１セレクタ動作信号（ＴＰ＿ＥＮ）がハイになることで、第１系統のシフト信号出力回路ＳＲｎと個別切替回路１１ｎが接続される。これによって、第１タッチ検出の際には、第１系統が有する１つのシフト信号出力回路ＳＲｎと１つの領域の駆動電極ＣＯＭＬ２と接続されている１つの個別切替回路１１ｎとが接続される。すなわち、１つの駆動電極ＣＯＭＬ２が有する全ての細分電極ＳＣＯＭＬが一括で駆動可能な状態になる。
【０１０２】
図２５では、第１セレクタ１７０が細分電極ＳＣＯＭＬの数だけ設けられているが、これは第１セレクタ１７０の配置例であってこれに限られるものでない。例えば、中継配線１６０上に１つの第１セレクタ１７０を設けてもよい。
【０１０３】
また、実施形態３に係るタッチ検出機能付き表示装置１Ｂ（図２８参照）は、駆動電極ＣＯＭＬ２毎に個別に設けられて個別の信号で動作する複数の第２セレクタ１９ｎ−１，１９ｎ，１９ｎ＋１を有する。具体的には、実施形態３に係るタッチ検出機能付き表示装置１Ｂは、例えば図２５に示すように、領域ｎ−１に設けられた駆動電極ＣＯＭＬ２に接続されている個別切替回路１１ｎ−１と第２系統のシフト信号出力回路ＳＲａ，ＳＲｂ，ＳＲｃ，ＳＲｄとの接続と非接続とを切り替える第２セレクタ１９ｎ−１を有する。また、実施形態３に係るタッチ検出機能付き表示装置１Ｂは、領域ｎに設けられた駆動電極ＣＯＭＬ２に接続されている個別切替回路１１ｎと第２系統のシフト信号出力回路ＳＲａ，ＳＲｂ，ＳＲｃ，ＳＲｄとの接続と非接続とを切り替える第２セレクタ１９ｎを有する。また、実施形態３に係るタッチ検出機能付き表示装置１Ｂは、領域ｎ＋１に設けられた駆動電極ＣＯＭＬ２に接続されている個別切替回路１１ｎ＋１と第２系統のシフト信号出力回路ＳＲａ，ＳＲｂ，ＳＲｃ，ＳＲｄとの接続と非接続とを切り替える第２セレクタ１９ｎ＋１を有する。
【０１０４】
第２セレクタ１９ｎ−１，１９ｎ，１９ｎ＋１はそれぞれ、第２タッチ検出に際して出力される個別の信号（例えば、ＦＰ＿ＳＥＬ＜ｎ−１＞，ＦＰ＿ＳＥＬ＜ｎ＞，ＦＰ＿ＳＥＬ＜ｎ＋１＞）の有無に応じてそれぞれ接続と非接続とを切り替える。具体的には、例えば第２セレクタ１９ｎ−１は、ＦＰ＿ＳＥＬ＜ｎ−１＞がハイである場合に領域ｎ−１の駆動電極ＣＯＭＬ２に接続されている個別切替回路１１ｎ−１と第２系統のシフト信号出力回路ＳＲａ，ＳＲｂ，ＳＲｃ，ＳＲｄとを接続状態（ＯＮ）にし、ＦＰ＿ＳＥＬ＜ｎ−１＞がロウである場合に領域ｎ−１の駆動電極ＣＯＭＬ２に接続されている個別切替回路１１ｎと第２系統のシフト信号出力回路ＳＲａ，ＳＲｂ，ＳＲｃ，ＳＲｄとを非接続状態（ＯＦＦ）にする。第２セレクタ１９ｎとＦＰ＿ＳＥＬ＜ｎ＞との関係及び第２セレクタ１９ｎ＋１とＦＰ＿ＳＥＬ＜ｎ＋１＞との関係は、第２セレクタ１９ｎ−１とＦＰ＿ＳＥＬ＜ｎ−１＞との関係と同様である。
【０１０５】
ＦＰ＿ＳＥＬ＜ｎ−１＞，ＦＰ＿ＳＥＬ＜ｎ＞，ＦＰ＿ＳＥＬ＜ｎ＋１＞がそれぞれハイになるタイミングはそれぞれ異なる（図２７参照）。すなわち、２つ以上の個別切替回路が同一タイミングで第２系統のシフト信号出力回路ＳＲａ，ＳＲｂ，ＳＲｃ，ＳＲｄと接続されることはない。このように、第２セレクタ１９ｎ−１，１９ｎ，１９ｎ＋１は、複数の細分電極ＳＣＯＭＬを有する複数の駆動電極ＣＯＭＬ２のうちいずれか１つの駆動電極ＣＯＭＬ２が有する細分電極ＳＣＯＭＬに対して選択的に駆動信号Ｖｃｏｍを伝送する回路を形成する選択切替回路として機能する。
【０１０６】
実施形態３では、第２系統のシフト信号出力回路ＳＲａ，ＳＲｂ，ＳＲｃ，ＳＲｄの出力ラインは、接続されうる個別切替回路の数に応じて分岐している。例えば、駆動電極ＣＯＭＬ２が３つ図示されている図２５では、第２系統のシフト信号出力回路ＳＲａ，ＳＲｂ，ＳＲｃ，ＳＲｄの出力ラインが３つに分岐している。出力ラインの分岐端はそれぞれ異なる第２セレクタ１９ｎ−１，１９ｎ，１９ｎ＋１を介してそれぞれ異なる個別切替回路１１ｎ−１，１１ｎ，１１ｎ＋１と接続されている。
【０１０７】
なお、実施形態３では、第２系統のシフト信号出力回路ＳＲａ，ＳＲｂ，ＳＲｃ，ＳＲｄの上流−下流関係と、複数の駆動電極ＣＯＭＬ２がそれぞれ有する複数の細分電極ＳＣＯＭＬの上流−下流関係とは対応している。具体的には、例えば第２系統において最も上流のシフト信号出力回路ＳＲａの出力の有無に応じて、複数の駆動電極ＣＯＭＬ２がそれぞれ有する複数の細分電極ＳＣＯＭＬのうち最も上流側に配置された１つの細分電極ＳＣＯＭＬに接続された第１スイッチＳＷ１及び第２スイッチＳＷ２の状態が切り替わる。この第１スイッチＳＷ１及び第２スイッチＳＷ２は、第２セレクタ１９ｎ−１，１９ｎ，１９ｎ＋１のうち接続状態になっている第２セレクタを介して当該シフト信号出力回路ＳＲａと接続されている第１スイッチＳＷ１及び第２スイッチＳＷ２である。第２系統が有する上流側から２番目以降のシフト信号出力回路ＳＲｂ，ＳＲｃ，ＳＲｄと、複数の駆動電極ＣＯＭＬ２がそれぞれ有する複数の細分電極ＳＣＯＭＬのうち上流側から２番目以降の細分電極ＳＣＯＭＬとの関係についても同様である。
【０１０８】
図２７は、実施形態３におけるタッチ検出に際して出力される各種の信号の関係の一例を示すタイミングチャートである。図２７は、第１タッチ検出を行い、第１タッチ検出で検出されたヒトの指の位置に応じた配置の駆動電極ＣＯＭＬ２を用いて第２タッチ検出を行った場合の各種の信号の関係の一例を示している。
【０１０９】
具体的には、第１タッチ検出の開始信号（ＳＴ）に応じて第１タッチ検出が開始される。第１タッチ検出の実施期間中、第１セレクタ動作信号（ＴＰ＿ＥＮ）はハイであり、第１タッチ検出の終了に応じてロウになる。
【０１１０】
クロック信号（ＣＫ）によるクロックタイミングに応じて、駆動電極ＣＯＭＬ単位での駆動信号Ｖｃｏｍの伝送が行われる。具体的には、第１タッチ検出の開始信号（ＳＴ）の入力後、第１系統が有する複数のシフト信号出力回路ＳＲのうち、最も上流側のシフト信号出力回路ＳＲ１が出力（Ｓｏｕｔ＜１＞）を生じさせ、その後、その下流側のシフト信号出力回路ＳＲ２が順次個別のタイミングで出力を生じさせる。係る出力の遷移は、最も下流側のシフト信号出力回路ＳＲＭＡＸが出力（Ｓｏｕｔ＜ＭＡＸ＞）を生じさせるまで続く。
【０１１１】
また、第２タッチ検出の開始信号（ＳＴ＿ＦＰ）に応じて第２タッチ検出が開始される。第２タッチ検出の実施期間中、第１セレクタ動作信号（ＴＰ＿ＥＮ）はロウである。
【０１１２】
クロック信号（ＣＫ）によるクロックタイミングに応じて、細分電極ＳＣＯＭＬ単位での駆動信号Ｖｃｏｍの伝送が行われる。具体的には、第２タッチ検出の開始信号（ＳＴ＿ＦＰ）の入力後、第２系統が有する複数のシフト信号出力回路ＳＲａ，ＳＲｂ，ＳＲｃ，ＳＲｄのうち、最も上流側のシフト信号出力回路ＳＲａが出力（Ｆｐｏｕｔ＜１＞）を生じさせ、その後、その下流側のシフト信号出力回路ＳＲｂが順次個別のタイミングで出力を生じさせる。係る出力の遷移は、最も下流側のシフト信号出力回路ＳＲｄが出力（例えば、Ｆｐｏｕｔ＜４＞）を生じさせるまで続く。
【０１１３】
また、第２タッチ検出では、どの駆動電極ＣＯＭＬ２が有する細分電極ＳＣＯＭＬを用いたタッチ検出を行うのかを示す信号が出力される。図２７に示す例では、ＦＰ＿ＳＥＬ＜ｎ＞がハイとされ、ＦＰ＿ＳＥＬ＜ｎ−１＞，ＦＰ＿ＳＥＬ＜ｎ＋１＞がロウとされている。これは、領域ｎの駆動電極ＣＯＭＬ２が有する細分電極ＳＣＯＭＬを用いたタッチ検出が行われていることを示している。
【０１１４】
図２７では、第１タッチ検出及び第２タッチ検出のタッチ検出結果をＲｘＯｕｔで模式的に示している。ＲｘＯｕｔは、第１タッチ検出の実施期間中であって、Ｓｏｕｔ＜ｎ＞の出力に応じたタイミングにおけるタッチ検出の強度が他のタイミングにおけるタッチ検出の強度よりも高いことを示している。そこで、第２タッチ検出において、Ｓｏｕｔ＜ｎ＞の出力に応じたタイミングで用いられた領域ｎの駆動電極ＣＯＭＬ２が有する複数の細分電極ＳＣＯＭＬを用いたタッチ検出が行われている。
【０１１５】
実施形態３に係るタッチ検出機能付き表示装置１Ｂは、第１タッチ検出の結果に基づいて第２タッチ検出で用いる細分電極ＳＣＯＭＬを決定する構成を有していてもよい。図２８は、第１タッチ検出の結果に基づいて第２タッチ検出で用いる細分電極ＳＣＯＭＬを決定する構成を有するタッチ検出機能付き表示装置１Ｂの一構成例を示すブロック図である。タッチ検出機能付き表示装置１Ｂは、例えば第２タッチ検出位置制御部２００を有する。第２タッチ検出位置制御部２００は、第１タッチ検出の結果に基づいて第２タッチ検出で用いる細分電極ＳＣＯＭＬを決定するための回路である。第２タッチ検出位置制御部２００は、例えば指紋検出実施信号Ｖｔｏｕｃｈが入力された場合に行われる第２タッチ検出に際して、まず第１タッチ検出を行わせるように駆動電極ドライバ１４及び第１タッチ検出部４０を動作させる。第２タッチ検出位置制御部２００は、第１タッチ検出部４０による検出信号出力Ｖｏｕｔ１に基づいて第２タッチ検出で用いる細分電極ＳＣＯＭＬを有する駆動電極ＣＯＭＬ２を特定し、特定された駆動電極ＣＯＭＬ２が有する複数の細分電極ＳＣＯＭＬを用いた第２タッチ検出を行わせるように駆動電極ドライバ１４及び第２タッチ検出部６０を動作させる。
【０１１６】
このように、実施形態３では、第１モードでの駆動信号Ｖｃｏｍの伝送タイミングに出力された第１タッチ検出信号に基づいて特定された指の位置に対応する位置に配置されている駆動電極ＣＯＭＬ２が有する複数の細分電極ＳＣＯＭＬに第２モードで駆動信号Ｖｃｏｍが伝送されるようにすることができる。係る実施形態３によれば、第２タッチ検出を実施する領域を限定しやすくなり、指紋検出等の第２タッチ検出に係る駆動信号Ｖｃｏｍの印加に係るサイクルタイムを短縮しやすくなる。すなわち、第２タッチ検出に係り用いられる細分電極ＳＣＯＭＬに１回ずつ駆動信号Ｖｃｏｍを印加する１周期のサイクルタイムは、細分電極ＳＣＯＭＬの数が少ない程短くしやすくなることから、第２タッチ検出を実施する領域を限定することで、当該１周期のサイクルタイムを短くしやすくなる。また、第２タッチ検出を実施する時間が所定時間である場合、１周期のサイクルタイムが短いほど当該所定時間内で細分電極ＳＣＯＭＬの各々に複数回駆動信号Ｖｃｏｍを印加して複数回タッチ検出を実施することによるタッチ検出の精度向上を図りやすくなる。
【０１１７】
（実施形態４）
図２９は、符号分割選択方式における駆動の一例を説明する説明図である。上記で説明した実施形態１等では、細分電極ＳＣＯＭＬが個別に駆動される場合を例示したが、細分電極ＳＣＯＭＬの駆動方式は、これに限られない。具体的には、例えば図２９に示すように、タッチ検出機能付き表示装置は、駆動電極ドライバ１４が、選択細分電極ブロックＢＫｎの複数（図２９の例では、４つ）の細分電極ブロックＴｘ１、Ｔｘ２、Ｔｘ３、Ｔｘ４を同時選択して所定の符号に基づいて位相が決められた駆動信号Ｖｃｏｍを供給する。図２９では、細分電極ブロックＴｘ１、Ｔｘ２、Ｔｘ３、Ｔｘ４の右側に図示された波形が駆動信号Ｖｃｏｍの位相の一例を示している。例えば、所定の符号は、下記の式（１）の正方行列で定義される。式（１）における正方行列の次数は、選択細分電極ブロックＢＫｎの細分電極ブロックＴｘ１、Ｔｘ２、Ｔｘ３、Ｔｘ４の数である４になる。式（１）の正方行列の対角成分「−１」は、当該正方行列の対角成分以外の成分「１」と異なる。符号「−１」は、符号「１」とは位相が異なるように決められた駆動信号Ｖｃｏｍを供給する符号である。駆動電極ドライバ１４等は、式（１）の正方行列に基づいて、正方行列の対角成分以外の成分「１」に対応する上述した交流矩形波Ｓｇの位相と、正方行列の対角成分「−１」に対応する上述した交流矩形波Ｓｇの位相とが反転するように、駆動信号Ｖｃｏｍを伝送する。細分電極ブロックＴｘ１，Ｔｘ２，Ｔｘ３，Ｔｘ４は、それぞれ所定数の細分電極ＳＣＯＭＬからなる。
【０１１８】
【数１】
0006562862.tif 000002
【０１１９】
実施形態４では、上記で例示した選択細分電極ブロックＢＫｎのように複数の細分電極ＳＣＯＭＬを同時に駆動し、符号分割選択（ＣＤＭ：Code  Division  Multiplex）方式で検出を行う。
【０１２０】
例えば、選択細分電極ブロックＢＫｎの細分電極ブロックＴｘ１、Ｔｘ２、Ｔｘ３、Ｔｘ４の走査上流から２番目の位置である細分電極ブロックＴｘ２に、指などの外部近接物体ＣＱがある場合、相互誘導により外部近接物体ＣＱによる差分の電圧が生じる（例えば差分の電圧は２０％とする）。係る例では、第２タッチ検出部６０が最初のタイミング（第１時間帯）に検出する第２タッチ検出信号Ｖｄｅｔ２（Sensor  Output  Signal）は、（−１）＋（０．８）＋（１）＋（１）＝１．８になる。この「１．８」は、符号「１」の駆動信号Ｖｃｏｍの信号強度を基準とした信号強度である。また、第２タッチ検出部６０が第１時間帯の次のタイミング（第２時間帯）に検出する第２タッチ検出信号Ｖｄｅｔ２は、（１）＋（−０．８）＋（１）＋（１）＝２．２になる。また、第２タッチ検出部６０が第２時間帯の次のタイミング（第３時間帯）に検出する第２タッチ検出信号Ｖｄｅｔ２は、（１）＋（０．８）＋（−１）＋（１）＝１．８になる。また、第２タッチ検出部６０が第３時間帯の次のタイミング（第４時間帯）に検出する第２タッチ検出信号Ｖｄｅｔ２は、（１）＋（０．８）＋（１）＋（−１）＝１．８になる。
【０１２１】
実施形態４における座標抽出部６５は、信号処理部６４において検出された第２タッチ検出信号Ｖｄｅｔ２（Sensor  Output  Signal）を式（１）の正方行列で掛け合わせる。選択駆動電極ブロックＢＫｎの駆動電極ブロックＴｘ２の位置に指などの外部近接物体ＣＱがあることを、駆動信号Ｖｃｏｍとして出力される信号の電圧を上げることなく時分割選択（ＴＤＭ）駆動よりも高い精度（例えば、４倍）の検出感度で検出する。
【０１２２】
図３０は、実施形態４におけるタッチ検出に係る構成を示す模式図である。実施形態４に係るタッチパネルは、符号分割選択（ＣＤＭ：Code  Division  Multiplex）制御部２１０を有する。ＣＤＭ制御部２１０は、第２系統のシフト信号出力回路ＳＲａ，ＳＲｂ，ＳＲｃ，ＳＲｄと、細分電極ＳＣＯＭＬを有する駆動電極ＣＯＭＬ２と接続されている個別切替回路（例えば、個別切替回路１１４）との間の接続経路上に設けられる。ＣＤＭ制御部２１０は、ＣＤＭ方式での第２タッチ検出に係り用いられる各種の制御信号（ＣＤＭ＿ＣＯＤＥ）に応じて動作する。実施形態４では、制御信号（ＣＤＭ＿ＣＯＤＥ）として、それぞれ個別の信号であるＶＣＯＭＳＥＬ，ＣＯＤＥ，ＯＥが用いられる。
【０１２３】
図３１は、ＣＤＭ制御部２１０が介在している場合のシフト信号出力回路ＳＲａ，ＳＲｂ，ＳＲｃ，ＳＲｄと個別切替回路１１４との接続経路の一例を示す図である。ＣＤＭ制御部２１０は、ラッチ回路２１１（例えば、２１１ａ，２１１ｂ，２１１ｃ，２１１ｄ）、ＸＯＲ回路及びＮＯＴ回路を有する。ラッチ回路２１１、ＸＯＲ回路及びＮＯＴ回路の数は、個別切替回路１１４が接続されている駆動電極ＣＯＭＬ２が有する細分電極ＳＣＯＭＬの数に応じる。なお、図３１においてＣＤＭ制御部２１０内に配置されているＯＲ回路は、実施形態１における第２系統と個別切替回路１１４との接続経路に設けられているＯＲ回路と実質的に同等である。
【０１２４】
実施形態４では、ＣＤＭ制御部２１０があることで、シフト信号出力回路ＳＲａ，ＳＲｂ，ＳＲｃ，ＳＲｄと個別切替回路１１４との間に設けられているＯＲ回路に接続されている入力側の２系統（第１系統及び第２系統）のシフト信号出力回路ＳＲ４，ＳＲａ，ＳＲｂ，ＳＲｃ，ＳＲｄの接続経路のうち、第２系統のシフト信号出力回路ＳＲａ，ＳＲｂ，ＳＲｃ，ＳＲｄの接続経路上にラッチ回路２１１ａ，２１１ｂ，２１１ｃ，２１１ｄが設けられている。ラッチ回路２１１ａ，２１１ｂ，２１１ｃ，２１１ｄは、第２系統のシフト信号出力回路ＳＲａ，ＳＲｂ，ＳＲｃ，ＳＲｄの出力（Ｆｐｏｕｔ）、ＣＯＤＥ及びＯＥに応じて動作する。ラッチ回路２１１ａ，２１１ｂ，２１１ｃ，２１１ｄは、同様の構成を有する回路である。これらのラッチ回路２１１ａ，２１１ｂ，２１１ｃ，２１１ｄを纏めて説明する場合、ラッチ回路２１１と記載することがある。
【０１２５】
図３２は、ラッチ回路２１１の具体的構成の一例を示す図である。ラッチ回路２１１は、例えば、４つのゲートスイッチ（第１ゲートスイッチＧＳ１、第２ゲートスイッチＧＳ２、第３ゲートスイッチＧＳ３及び第４ゲートスイッチＧＳ４）と４つのＮＯＴ回路とを有する。ラッチ回路２１１は、ＣＯＤＥの入力側から出力（Ｌａｔｃｈ＿Ｏｕｔ）側に向かって順に、第１ゲートスイッチＧＳ１、第１ループ部ＬＯ１、第２ゲートスイッチＧＳ２、第２ループ部ＬＯ２が直列に接続されている。第１ループ部ＬＯ１及び第２ループ部ＬＯ２はそれぞれ、２つのＮＯＴ回路が並列に接続され、かつ、並列に接続されているＮＯＴ回路の入出力関係が逆になっているデータのループ構造を有する。係るデータのループ構造は、入力側から入力された値を保持する。第１ループ部ＬＯ１及び第２ループ部ＬＯ２はそれぞれ、データのループ構造上であって、ＣＯＤＥの入力側から出力（Ｒａｔｃｈ＿Ｏｕｔ）側に向かう直列の接続線上でない並列線上に、それぞれ１つのゲートスイッチを有する。ここでは、第１ループ部ＬＯ１が有するゲートスイッチを第３ゲートスイッチＧＳ３とし、第２ループ部ＬＯ２が有するゲートスイッチを第４ゲートスイッチＧＳ４とする。
【０１２６】
以下、便宜上、１つの駆動電極ＣＯＭＬ２が有する複数の細分電極ＳＣＯＭＬのうち、上流側からｍ番目（以下、単にｍ番目）の細分電極ＳＣＯＭＬに駆動信号Ｖｃｏｍを伝送する制御に係るラッチ回路２１１を例として説明を行う。仮に、第１ゲートスイッチＧＳ１及び第２ゲートスイッチＧＳ２が両方とも開いており、第３ゲートスイッチＧＳ３及び第４ゲートスイッチＧＳ４が両方とも閉じている場合、ラッチ回路２１１に入力されたＣＯＤＥは２つのＮＯＴ回路による２回の反転を経て出力され（Ｌａｔｃｈ＿Ｏｕｔ）、値は保持されない。また、第１ゲートスイッチＧＳ１が閉じている場合、ラッチ回路２１１には値が入力されない。
【０１２７】
第１ゲートスイッチＧＳ１が開くことで、ラッチ回路２１１に値が入力可能な状態になる。ここで、第３ゲートスイッチＧＳ３が開いていることによって、第１ループ部ＬＯ１で値が保持される。第２ゲートスイッチＧＳ２が開いている場合、第１ループ部ＬＯ１で保持されている値が第２ループ部ＬＯ２側に伝送される。第３ゲートスイッチＧＳ３が閉じることで第１ループ部ＬＯ１での値の保持が終了する。第２ゲートスイッチＧＳ２が閉じることで第１ループ部ＬＯ１から第２ループ部ＬＯ２への値の伝送が終了する。第４ゲートスイッチＧＳ４が開いている間、第２ループ部ＬＯ２での値の保持及びラッチ回路２１１の出力（Ｌａｔｃｈ＿Ｏｕｔ）が継続する。第４ゲートスイッチＧＳ４が閉じることで、第２ループ部ＬＯ２での値の保持が終了し、それに伴ってラッチ回路２１１の出力（Ｌａｔｃｈ＿Ｏｕｔ）が終了する。
【０１２８】
第１ゲートスイッチＧＳ１は、第２系統のｍ−１番目のシフト信号出力回路ＳＲの出力の反転及びｍ番目のシフト信号出力回路ＳＲの出力に応じて動作する。第２ゲートスイッチＧＳ２は、ｍ−１番目用のＯＥ（ＯＥｂ）の出力の反転及びｍ番目用のＯＥの出力に応じて動作する。第３ゲートスイッチＧＳ３は、第２系統のｍ−１番目のシフト信号出力回路ＳＲの出力及びｍ番目のシフト信号出力回路ＳＲの出力の反転に応じて動作する。第４ゲートスイッチＧＳ４は、ｍ−１番目用のＯＥ（ＯＥｂ）の出力及びｍ番目用のＯＥの出力の反転に応じて動作する。
【０１２９】
ＯＲ回路の出力は、第１系統のシフト信号出力回路ＳＲ４又はラッチ回路２１１の出力の少なくともいずれか一方に応じる。ＯＲ回路の出力側は、ＸＯＲ回路が有する入力側の２系統の接続経路のうち一方に接続されている。ＸＯＲ回路が有する入力側の２系統の接続経路のうち他方には、ＶＣＯＭＳＥＬを入力するための配線が接続されている。ＸＯＲ回路の出力は、第１スイッチＳＷ１に供給されるとともに、ＮＯＴ回路を経て反転して第２スイッチＳＷ２に供給される。
【０１３０】
実施形態４では、第１タッチ検出の際にＶＣＯＭＳＥＬは出力されない。これによって、実施形態４に係るタッチ検出機能付き表示装置は、実施形態１と同様の仕組みで第１タッチ検出を行うことができる。
【０１３１】
図３３は、ＣＤＭ方式における各種の信号の関係の一例を示すタイミングチャートである。上記で説明したＣＤＭ制御部２１０によって、複数の電極は、ＣＯＤＥに応じて駆動される。具体的には、例えば図３３に示すように、１回目の開始信号（ＳＴ＿ＦＰ）と２回目の開始信号との間に出力されたＣＯＤＥ「０，１，１，１」に応じて、２回目の開始信号後における細分電極ブロックＴｘ１，Ｔｘ２，Ｔｘ３，Ｔｘ４の駆動状態が制御される。具体的には、ＣＯＤＥ「０，１，１，１」に応じて、最も上流側のラッチ回路２１１ａの出力（Ｌａｔｃｈ（１）＿Ｏｕｔ）がロウになる。これによって、最も上流側の細分電極ブロックＴｘ１に対する駆動信号Ｖｃｏｍの伝送タイミングがＶＣＯＭＳＥＬのクロックタイミングを反転したタイミングになる。一方、他の細分電極ブロックＴｘ２，Ｔｘ３，Ｔｘ４に対する駆動信号Ｖｃｏｍの伝送タイミングは、ＶＣＯＭＳＥＬのクロックタイミングと同期する。実施形態４における第２タッチ検出信号Ｖｄｅｔ２は、ＶＣＯＭＳＥＬのクロックタイミングのものが採用される。よって、この場合、最も上流側の細分電極ブロックＴｘ１はタッチ検出に用いられず、他の細分電極ブロックＴｘ２，Ｔｘ３，Ｔｘ４がタッチ検出に用いられる。
【０１３２】
同様の仕組みで、２回目の開始信号（ＳＴ＿ＦＰ）と３回目の開始信号との間に出力されたＣＯＤＥ「１，０，１，１」に応じて、３回目の開始信号後における細分電極ブロックＴｘ１，Ｔｘ２，Ｔｘ３，Ｔｘ４の駆動状態が制御される。この場合、上流側から２番目のラッチ回路２１１ｂの出力（Ｌａｔｃｈ（２）＿Ｏｕｔ）がロウになり、上流側から２番目の細分電極ブロックＴｘ１に対する駆動信号Ｖｃｏｍの伝送タイミングがＶＣＯＭＳＥＬのクロックタイミングを反転したタイミングになる。よって、この場合、上流側から２番目の細分電極ブロックＴｘ２はタッチ検出に用いられず、他の細分電極ブロックＴｘ１，Ｔｘ３，Ｔｘ４がタッチ検出に用いられる。同様に、ＣＯＤＥ「１，１，０，１」に応じた駆動信号Ｖｃｏｍの伝送制御によって、上流側から３番目の細分電極ブロックＴｘ２はタッチ検出に用いられず、他の細分電極ブロックＴｘ１，Ｔｘ２，Ｔｘ４がタッチ検出に用いられる。また、ＣＯＤＥ「１，１，１，０」に応じた駆動信号Ｖｃｏｍの伝送制御によって、上流側から４番目の細分電極ブロックＴｘ４はタッチ検出に用いられず、他の細分電極ブロックＴｘ１，Ｔｘ２，Ｔｘ３がタッチ検出に用いられる。
【０１３３】
このように、ＣＤＭ制御部２１０は、同一タイミングで駆動信号Ｖｃｏｍが伝送される細分電極ＳＣＯＭＬの数及び組み合わせを切り替える組み合わせ回路として機能する。
【０１３４】
なお、実施形態４では、駆動電位線ＴＳＶＣＯＭに代えて電位線ＴＰＨが設けられている。駆動電位線ＴＳＶＣＯＭは、ハイ／ロウが切り替わるデジタル信号を伝送するが、電位線ＴＰＨは、ハイレベル固定の電位で、ロウレベル固定の電位であるＴＰＬとスイッチにより交互に印加することでＴＳＶＣＯＭと同様にハイ／ロウを切り替えて短形波を出力可能な構成になっている。
【０１３５】
図２９、図３１、図３３を参照した例では、便宜上４つの細分電極ブロックＴｘ１，Ｔｘ２，Ｔｘ３，Ｔｘ４を用いたＣＤＭ方式について説明したが、ＣＤＭ方式で同時に駆動する細分電極ブロックの数は任意である。
【０１３６】
以上、実施形態４によれば、第２モードでのタッチ検出の感度がより高まる。特に、細分電極ＳＣＯＭＬは、駆動電極ＣＯＭＬに比して並設ピッチがより細かいことから、１つの細分電極ＳＣＯＭＬに対する駆動信号Ｖｃｏｍに応じて生じる静電容量に基づいた変化の度合い、すなわち、タッチ操作の有無に応じた静電容量の変化の度合いはより小さくなりやすい。このため、第２タッチ検出では、タッチ検出の感度の確保の難易度がより高まっている。係る条件下では特に第２タッチ検出にＣＤＭ方式を採用することで、十分な感度の確保がより容易になる。
【０１３７】
（実施形態５）
図３４は、実施形態５におけるタッチ検出に係る構成を示す模式図である。複数のシフト信号出力回路ＳＲ１，ＳＲ２，ＳＲ３，…，ＳＲＭＡＸ−２，ＳＲＭＡＸ−１，ＳＲＭＡＸの各々は、複数の駆動電極ＣＯＭＬ１のうち１つ又は駆動電極ＣＯＭＬ２が有する複数の細分電極のうち１つに対する駆動信号Ｖｃｏｍの伝送のために選択的に利用可能に設けられていてもよい。この場合、シフト駆動回路１３０Ｂを構成する複数のシフト信号出力回路ＳＲ１，ＳＲ２，ＳＲ３，…，ＳＲＭＡＸ−２，ＳＲＭＡＸ−１，ＳＲＭＡＸの系統は、第１系統と第２系統とを兼ねる１つの系統として設けられる。
【０１３８】
具体的には、例えば図３４に示すように、複数のシフト信号出力回路ＳＲ１，ＳＲ２，ＳＲ３，…，ＳＲＭＡＸ−２，ＳＲＭＡＸ−１，ＳＲＭＡＸの各々の出力ラインは、兼用回路２２０を経て複数の駆動電極ＣＯＭＬ１のうち１つと接続されている選択切替回路１１ｐならびに細分電極ＳＣＯＭＬと接続されている選択切替回路１１ｒが有する１組の第１スイッチＳＷ１及び第２スイッチＳＷ２と接続されている。兼用回路２２０は、複数の細分電極ＳＣＯＭＬを有しない駆動電極ＣＯＭＬ１又は細分電極ＳＣＯＭＬのいずれか一方を切替可能に、切替回路（個別切替回路）が有するスイッチ（第１スイッチＳＷ１及び第２スイッチＳＷ２）を動作させる信号を出力する信号出力回路ＳＲ（例えば、シフト信号出力回路ＳＲ１，ＳＲ２，ＳＲ３，…，ＳＲＭＡＸ−２，ＳＲＭＡＸ−１，ＳＲＭＡＸのいずれか）に接続する。
【０１３９】
図３５は、兼用回路２２０の具体的構成の一例を示す図である。兼用回路２２０は、シフト信号出力回路ＳＲの出力ラインと、駆動電極ＣＯＭＬ１と接続されている選択切替回路と、の間の接続と非接続とを切り替える第１モード用スイッチ２２１を有する。また、兼用回路２２０は、シフト信号出力回路ＳＲの出力ラインと、細分電極ＳＣＯＭＬと接続されている１組の第１スイッチＳＷ１及び第２スイッチＳＷ２と、の間の接続と非接続とを切り替える第２モード用スイッチ２２２とを有する。第１モード用スイッチ２２１と第２スイッチＳＷ２は、それぞれ異なる信号に応じて接続状態（ＯＮ）と非接続状態（ＯＦＦ）とを切り替える。具体的には、第１モード用スイッチ２２１は、第１タッチ検出の際に出力され、第２タッチ検出の際に出力されない第１モード用信号（ＴＰ＿ＥＮ）のハイ／ロウに応じてＯＮ／ＯＦＦが切り替わる。また、第２モード用スイッチ２２２は、第２タッチ検出の際に出力され、第１タッチ検出の際に出力されない第２モード用信号（ＦＰ＿ＥＮ）のハイ／ロウに応じてＯＮ／ＯＦＦが切り替わる。すなわち、実施形態５におけるシフト信号出力回路ＳＲの出力は、第１タッチ検出の際に兼用回路２２０を経て駆動電極ＣＯＭＬ１と接続されている選択切替回路を動作させる。また、実施形態５におけるシフト信号出力回路ＳＲの出力は、第２タッチ検出の際に兼用回路２２０を経て細分電極ＳＣＯＭＬと接続されている１組の第１スイッチＳＷ１及び第２スイッチＳＷ２を動作させる。第１モード用信号（ＴＰ＿ＥＮ）及び第２モード用信号（ＦＰ＿ＥＮ）は、例えばＤＤＩＣ８０が出力するが、これらの信号を出力する構成は適宜変更可能である。
【０１４０】
以上、実施形態５によれば、複数の細分電極ＳＣＯＭＬを有しない駆動電極ＣＯＭＬ１と細分電極ＳＣＯＭＬとで信号出力回路（シフト信号出力回路ＳＲ）を兼用することができるので、シフト駆動回路１３０Ｂの回路規模をより小さくしやすくなる。
【０１４１】
なお、実施形態及び各変形例で説明された各構成の特徴は、互いに矛盾しない範囲内で
併用可能である。以上、本発明の好適な実施形態及び変形例（実施形態等）を説明したが、本発明はこのような実施形態等に限定されるものではない。実施形態等で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１４２】
上記の実施形態等では、基本的に、第１検出部（第１タッチ検出部４０）と第２検出部（第２タッチ検出部６０）とが別個の構成であるが、１つの回路が係る２つの回路の機能を有していてもよい。
【０１４３】
上記の実施形態等では、第１タッチ検出電極ＴＤＬと第２タッチ検出電極ＳＴＤＬとが個別に設けられているが、第１タッチ検出電極ＴＤＬの並設ピッチを第２タッチ検出電極ＳＴＤＬと同等にして、第１タッチ検出電極ＴＤＬと第２タッチ検出電極ＳＴＤＬとを共通の電極としてもよい。この場合であっても、係る電極を有する構成は、第１モードと第２モードとで検出に係る分解能の差別化が生じることから、指の位置の特定と指紋の検出との区別等、目的に応じた動作を行うことができる。
【０１４４】
駆動電極ＣＯＭＬの数、１つの駆動電極ＣＯＭＬ２が有する細分電極ＳＣＯＭＬの数、第１タッチ検出電極ＴＤＬの数、第２タッチ検出電極ＳＴＬＤの数等、実施形態で例示及び図示した数的事項はあくまで一例であり、適宜変更可能である。
【符号の説明】
【０１４５】
１，１Ａ，１Ｂ  タッチ検出機能付き表示装置
２  画素基板
３  対向基板
５  カバー部材
６  液晶層
１０  タッチ検出機能付き表示部
１１  制御部
１２  ゲートドライバ
１３  ソースドライバ
１４  駆動電極ドライバ
２０  表示パネル
２１  ＴＦＴ基板
２２  画素電極
３０  タッチパネル
３１  ガラス基板
３２  カラーフィルタ
４０  第１タッチ検出部
４２、６２  タッチ検出信号増幅部
４３、６３  Ａ／Ｄ変換部
４４、６４  信号処理部
４５、６５  座標抽出部
４６、６６  検出タイミング制御部
６０  第２タッチ検出部
６７  合成部
７０  ＦＰＣ
８０  ＤＤＩＣ
１０１ａ  表示領域
１０１ｂ  額縁領域
１１０  伝送切替回路
１１１，１１２，１１３，１１４，１１５，１１６，１１７  個別切替回路
１１ｎ−１，１１ｎ，１１ｎ＋１  個別切替回路
１３０，１３０Ａ，１３０Ｂ  シフト駆動回路
１６０  中継配線
１７０  第１セレクタ
１７１  第３スイッチ
１７２  第４スイッチ
１９ｎ−１，１９ｎ，１９ｎ＋１  第２セレクタ
２００  第２タッチ検出位置制御部
２１０  ＣＤＭ制御部
２１１，２１１ａ，２１１ｂ，２１１ｃ，２１１ｄ  ラッチ回路
２２０  兼用回路
２２１  第１モード用スイッチ
２２２  第２モード用スイッチ
６２１  コンデンサ
ＳＲ，ＳＲｘ，ＳＲｙ  シフト信号出力回路
ＳＲ１，ＳＲ２，ＳＲ３，ＳＲ４，ＳＲ５，ＳＲｎ−１，ＳＲｎ，ＳＲｎ＋１，ＳＲＭＡＸ−２，ＳＲＭＡＸ−１，ＳＲＭＡＸ    シフト信号出力回路（第１系統）
ＳＲａ，ＳＲｂ，ＳＲｃ，ＳＲｄ    シフト信号出力回路（第２系統）
ＣＯＭＬ，ＣＯＭＬ１，ＣＯＭＬ２  駆動電極
ＧＣＬ  走査信号線
ＧＳ１  第１ゲートスイッチ
ＧＳ２  第２ゲートスイッチ
ＧＳ３  第３ゲートスイッチ
ＧＳ４  第４ゲートスイッチ
ＬＯ１  第１ループ部
ＬＯ２  第２ループ部
Ｐｉｘ  画素
ＳＣＯＭＬ  細分電極
ＳＧＬ  画素信号線
ＳＰｉｘ  副画素
ＳＴＤＬ  第２タッチ検出電極
ＳＷ１  第１スイッチ
ＳＷ２  第２スイッチ
ＴＤＬ  第１タッチ検出電極
ＴＳＶＣＯＭ  駆動電位線
ＴＰＨ  電位線
ＴＰＬ  電位線
Ｖｃｏｍ  駆動信号
Ｖｄｅｔ１  第１タッチ検出信号
Ｖｄｅｔ２  第２タッチ検出信号
Ｖｄｉｓｐ  映像信号
Ｖｐｉｘ  画素信号
Ｖｓｃａｎ  走査信号
Ｖｔｏｕｃｈ  指紋検出実施信号
【図１】
0006562862.tif 000003
【図２】
0006562862.tif 000004
【図３】
0006562862.tif 000005
【図４】
0006562862.tif 000006
【図５】
0006562862.tif 000007
【図６】
0006562862.tif 000008
【図７】
0006562862.tif 000009
【図８】
0006562862.tif 000010
【図９】
0006562862.tif 000011
【図１０】
0006562862.tif 000012
【図１１】
0006562862.tif 000013
【図１２】
0006562862.tif 000014
【図１３】
0006562862.tif 000015
【図１４】
0006562862.tif 000016
【図１５】
0006562862.tif 000017
【図１６】
0006562862.tif 000018
【図１７】
0006562862.tif 000019
【図１８】
0006562862.tif 000020
【図１９】
0006562862.tif 000021
【図２０】
0006562862.tif 000022
【図２１】
0006562862.tif 000023
【図２２】
0006562862.tif 000024
【図２３】
0006562862.tif 000025
【図２４】
0006562862.tif 000026
【図２５】
0006562862.tif 000027
【図２６】
0006562862.tif 000028
【図２７】
0006562862.tif 000029
【図２８】
0006562862.tif 000030
【図２９】
0006562862.tif 000031
【図３０】
0006562862.tif 000032
【図３１】
0006562862.tif 000033
【図３２】
0006562862.tif 000034
【図３３】
0006562862.tif 000035
【図３４】
0006562862.tif 000036
【図３５】
0006562862.tif 000037